(57)【要約】      （修正有）【課題】ＵＥがグローバリールータビリティなＩＰアドレスを取得する方法を明確化する。【解決手段】ＰＤＮ（Ｐａｃｋｅｔ  Ｄａｔａ  Ｎｅｔｗｏｒｋ）コネクティビティ要求において、ＵＥはグロバリールータビリティなＩＰアドレスの取得を要求する。要求メッセージには、少なくともＡＰＮ（Ａｃｃｅｓｓ  Ｐｏｉｎｔ  Ｎａｍｅ）と、ＰＤＮタイプと、グローバリールータブルなＩＰアドレスを要求することを示す識別情報とを含み、ＰＤＮコネクティビティアクセプトにより、グローバリールータビリティなＩＰアドレスを取得する。【選択図】図１
2017152754.tif 000002
【特許請求の範囲】
【請求項１】
端末装置であって、
ＭＭＥ（Ｍｏｂｉｌｉｔｙ  Ｍａｎａｇｅｍｅｎｔ  Ｅｎｔｉｔｙ）にＰＤＮ（Ｐａｃｋｅｔ  Ｄａｔａ  Ｎｅｔｗｏｒｋ）コネクティビティ要求メッセージを送信し、
前記ＰＤＮコネクティビティ要求メッセージには、少なくともＡＰＮと、ＰＤＮタイプと、グローバリールータブルなＩＰアドレスを要求することを示す識別情報とを含み、
前記ＰＤＮコネクティビティ要求メッセージに対する応答として、ＰＤＮコネクティビィティアクセプトメッセージを基地局装置から受信し、
前記ＰＤＮコネクティビィティアクセプトメッセージには、少なくともＡＰＮと、ＰＤＮタイプと、ＩＰアドレスを含み、
前記識別情報の送信に基づいて、前記ＩＰアドレスとしてグローバリールータブルなＩＰアドレスを取得する
ことを特徴とする端末装置。
【請求項２】
アプリケーションサーバに認証要求メッセージを送信し、
前記認証要求メッセージの送信により、グローバリールータブルなＩＰアドレスを用いて通信を行うアプリケーションの利用に対する認証を要求し、
前記認証に対する応答であり、前記アプリケーションサーバの送信する認証を完了したことを示す制御メッセージを受信し、
前記制御メッセージの受信に基づいて前記ＭＭＥに前記ＰＤＮコネクティビティ要求メッセージを送信する
ことを特徴とする請求項１に記載の端末装置。
【請求項３】
前記制御メッセージに含まれる認証情報を取得し、
少なくとも前記認証情報を含めて前記ＭＭＥに前記ＰＤＮコネクティビティ要求メッセージを送信する
ことを特徴とする請求項２に記載の端末装置。
【請求項４】
グローバリールータブルなＩＰアドレスを用いて通信を行うアプリケーションを識別する識別情報を記憶し、
前記アプリケーションと、前記ＩＰアドレスを対応づけて記憶し、
前記ＩＰアドレスを用いて前記アプリケーションの通信を行う
ことを特徴とする請求項１から３に記載の端末装置。
【請求項５】
前記ＰＤＮコネクティビィティアクセプトメッセージの受信に基づいて、ＰＧＷ（ＰＤＮ  Ｇａｔｅｗａｙ）との間にＰＤＮコネクションを確立し、
前記アプリケーションの通信を、前記ＰＤＮコネクションを用いて行う
ことを特徴とする請求項４に記載の端末装置。
【請求項６】
前記ＰＤＮコネクティビィティアクセプトメッセージの受信に基づいて、少なくとも、グローバリールータブルなＩＰアドレスを取得したことを示す識別情報と、前記アプリケーションを識別する情報を含んだアナウンス信号を近隣に報知し、
前記端末装置と、前記端末装置が前記アプリケーションの通信をグローバリールータブルなＩＰアドレスを用いて行うことができることを、近隣端末に検出させる
ことを特徴とする請求項４に記載の端末装置。
【請求項７】
前記グローバリールータブルなＩＰアドレスを取得したことを示す識別情報は、前記ＩＰアドレスである
ことを特徴とする請求項６に記載の端末装置。
【請求項８】
ＭＭＥ（Ｍｏｂｉｌｉｔｙ  Ｍａｎａｇｅｍｅｎｔ  Ｅｎｔｉｔｙ）であって、
端末装置からＰＤＮ（Ｐａｃｋｅｔ  Ｄａｔａ  Ｎｅｔｗｏｒｋ）コネクティビティ要求メッセージを受信し、
前記ＰＤＮコネクティビティ要求メッセージには、少なくともＡＰＮと、ＰＤＮタイプと、
グローバリールータブルなＩＰアドレスを要求することを示す識別情報とを含み、
前記ＰＤＮコネクティビティ要求メッセージに対する応答として、ＰＤＮコネクティビィティアクセプトメッセージを基地局装置へ送信し、
前記ＰＤＮコネクティビィティアクセプトメッセージには、少なくともＡＰＮと、ＰＤＮタイプと、ＩＰアドレスを含み、
前記識別情報の受信に基づいて、前記ＩＰアドレスはグローバリールータブルなＩＰアドレスを含めて送信する
ことを特徴とするＭＭＥ。
【請求項９】
ＰＧＷ（ＰＤＮ  Ｇａｔｅｗａｙ）であって、
端末装置のＰＤＮ（Ｐａｃｋｅｔ  Ｄａｔａ  Ｎｅｔｗｏｒｋ）コネクティビティ要求メッセージの送信に基づいて、セッション確立要求メッセージをＳＧＷ（Ｓｅｒｖｉｎｇ  Ｇａｔｅｗａｙ）から受信し、
前記セッション確立要求メッセージには、少なくともＡＰＮと、ＰＤＮタイプと、
グローバリールータブルなＩＰアドレスを要求することを示す識別情報とを含み、
前記識別情報の受信に基づいて、グローバリールータブルなＩＰアドレスを割り当て、
前記セッション確立要求メッセージに対する応答として、セッション確立応答メッセージを前記ＳＧＷへ送信し、
前記セッション確立応答メッセージメッセージには、少なくともＡＰＮと、ＰＤＮタイプと、前記ＩＰアドレスを含めて送信する
ことを特徴とするＰＧＷ。
【請求項１０】
端末装置であって、
ＭＭＥ（Ｍｏｂｉｌｉｔｙ  Ｍａｎａｇｅｍｅｎｔ  Ｅｎｔｉｔｙ）にＰＤＮ（Ｐａｃｋｅｔ  Ｄａｔａ  Ｎｅｔｗｏｒｋ）コネクティビティ要求メッセージを送信し、
前記ＰＤＮコネクティビティ要求メッセージには、少なくともＡＰＮと、ＰＤＮタイプと、
を含み、
前記ＰＤＮコネクティビティ要求メッセージに対する応答として、ＰＤＮコネクティビィティアクセプトメッセージを基地局装置から受信し、
前記ＰＤＮコネクティビィティアクセプトメッセージには、少なくともＡＰＮと、ＰＤＮタイプと、ＩＰアドレスを含み、
ＩＰアドレスをグローバリールータブルなＩＰアドレスに変更する要求メッセージを前記ＭＭＥまたは前記基地局装置に送信し、
前記ＩＰアドレスをグローバリールータブルなＩＰアドレスに変更する要求メッセージに対する応答メッセージを受信し、
前記応答メッセージの受信に基づいて、前記ＩＰアドレスをグローバリールータブルなＩＰアドレスに変更する
ことを特徴とする端末装置。
【請求項１１】
端末装置の通信制御方法であって、
ＭＭＥ（Ｍｏｂｉｌｉｔｙ  Ｍａｎａｇｅｍｅｎｔ  Ｅｎｔｉｔｙ）にＰＤＮ（Ｐａｃｋｅｔ  Ｄａｔａ  Ｎｅｔｗｏｒｋ）コネクティビティ要求メッセージを送信するステップと、
前記ＰＤＮコネクティビティ要求メッセージには、少なくともＡＰＮと、ＰＤＮタイプと、グローバリールータブルなＩＰアドレスを要求することを示す識別情報とを含み、
前記ＰＤＮコネクティビティ要求メッセージに対する応答として、ＰＤＮコネクティビィティアクセプトメッセージを基地局装置から受信するステップと、
前記ＰＤＮコネクティビィティアクセプトメッセージには、少なくともＡＰＮと、ＰＤＮタイプと、ＩＰアドレスを含み、
前記識別情報の送信に基づいて、前記ＩＰアドレスとしてグローバリールータブルなＩＰアドレスを取得するステップと
を有することを特徴とする端末装置の通信制御方法。
【請求項１２】
グローバリールータブルなＩＰアドレスを用いて通信を行うアプリケーションの利用に対する認証を要求するためにアプリケーションサーバに認証要求メッセージを送信するステップと、
前記認証に対する応答であり、前記アプリケーションサーバの送信する認証を完了したことを示す制御メッセージを受信するステップを有し、
前記制御メッセージの受信に基づいて前記ＭＭＥに前記ＰＤＮコネクティビティ要求メッセージを送信する
ことを特徴とする請求項１１に記載の端末装置の通信制御方法。
【請求項１３】
前記制御メッセージに含まれる認証情報を取得するステップを有し、
少なくとも前記認証情報を含めて前記ＭＭＥに前記ＰＤＮコネクティビティ要求メッセージを送信する
ことを特徴とする請求項１２に記載の端末装置の通信制御方法。
【請求項１４】
グローバリールータブルなＩＰアドレスを用いて通信を行うアプリケーションを識別する識別情報を記憶するステップと、
前記アプリケーションと、前記ＩＰアドレスを対応づけて記憶するステップと、
前記ＩＰアドレスを用いて前記アプリケーションの通信を行うステップと
を有することを特徴とする請求項１１から１３に記載の端末装置の通信制御方法。
【請求項１５】
前記ＰＤＮコネクティビィティアクセプトメッセージの受信に基づいて、ＰＧＷ（ＰＤＮ  Ｇａｔｅｗａｙ）との間にＰＤＮコネクションを確立するステップを有し、
前記アプリケーションの通信を、前記ＰＤＮコネクションを用いて行う
ことを特徴とする請求項１４に記載の端末装置の通信制御方法。
【請求項１６】
前記ＰＤＮコネクティビィティアクセプトメッセージの受信に基づいて、少なくとも、グローバリールータブルなＩＰアドレスを取得したことを示す識別情報と、前記アプリケーションを識別する情報を含んだアナウンス信号を近隣に報知するステップを有し、
前記端末装置と、前記端末装置が前記アプリケーションの通信をグローバリールータブルなＩＰアドレスを用いて行うことができることを、近隣端末に検出させる
ことを特徴とする請求項１４に記載の端末装置の通信制御方法。
【請求項１７】
前記グローバリールータブルなＩＰアドレスを取得したことを示す識別情報は、前記ＩＰアドレスである
ことを特徴とする請求項１６に記載の端末装置の通信制御方法。
【請求項１８】
ＭＭＥ（Ｍｏｂｉｌｉｔｙ  Ｍａｎａｇｅｍｅｎｔ  Ｅｎｔｉｔｙ）の通信制御方法であって、
端末装置からＰＤＮ（Ｐａｃｋｅｔ  Ｄａｔａ  Ｎｅｔｗｏｒｋ）コネクティビティ要求メッセージを受信するステップと、
前記ＰＤＮコネクティビティ要求メッセージには、少なくともＡＰＮと、ＰＤＮタイプと、グローバリールータブルなＩＰアドレスを要求することを示す識別情報とを含み、
前記ＰＤＮコネクティビティ要求メッセージに対する応答として、ＰＤＮコネクティビィティアクセプトメッセージを基地局装置へ送信するステップと、
前記ＰＤＮコネクティビィティアクセプトメッセージには、少なくともＡＰＮと、ＰＤＮタイプと、ＩＰアドレスを含み、
前記識別情報の受信に基づいて、前記ＩＰアドレスはグローバリールータブルなＩＰアドレスを含めて送信するステップと
を有することを特徴とするＭＭＥの通信制御方法。
【請求項１９】
ＰＧＷ（ＰＤＮ  Ｇａｔｅｗａｙ）の通信制御方法であって、
端末装置のＰＤＮ（Ｐａｃｋｅｔ  Ｄａｔａ  Ｎｅｔｗｏｒｋ）コネクティビティ要求メッセージの送信に基づいて、セッション確立要求メッセージをＳＧＷ（Ｓｅｒｖｉｎｇ  Ｇａｔｅｗａｙ）から受信するステップと、
前記セッション確立要求メッセージには、少なくともＡＰＮと、ＰＤＮタイプと、グローバリールータブルなＩＰアドレスを要求することを示す識別情報とを含み、
前記識別情報の受信に基づいて、グローバリールータブルなＩＰアドレスを割り当てるステップと、
前記セッション確立要求メッセージに対する応答として、少なくともＡＰＮと、ＰＤＮタイプと、前記ＩＰアドレスを含めてセッション確立応答メッセージを前記ＳＧＷへ送信するステップと
を有することを特徴とするＰＧＷの通信制御方法。
【請求項２０】
端末装置の通信制御方法であって、
ＭＭＥ（Ｍｏｂｉｌｉｔｙ  Ｍａｎａｇｅｍｅｎｔ  Ｅｎｔｉｔｙ）に少なくともＡＰＮと、ＰＤＮタイプを含めてＰＤＮ（Ｐａｃｋｅｔ  Ｄａｔａ  Ｎｅｔｗｏｒｋ）コネクティビティ要求メッセージを送信するステップと、
前記ＰＤＮコネクティビティ要求メッセージに対する応答として、少なくともＡＰＮと、ＰＤＮタイプと、ＩＰアドレスを含めたＰＤＮコネクティビィティアクセプトメッセージを基地局装置から受信するステップと、
ＩＰアドレスをグローバリールータブルなＩＰアドレスに変更する要求メッセージを前記ＭＭＥまたは前記基地局装置に送信するステップと、
前記ＩＰアドレスをグローバリールータブルなＩＰアドレスに変更する要求メッセージに対する応答メッセージを受信するステップと、
前記応答メッセージの受信に基づいて、前記ＩＰアドレスをグローバリールータブルなＩＰアドレスに変更するステップと
を有することを特徴とする端末装置の通信制御方法。
【請求項２１】
少なくとも端末装置と基地局装置とＭＭＥ（Ｍｏｂｉｌｉｔｙ  Ｍａｎａｇｅｍｅｎｔ  Ｅｎｔｉｔｙ）とＳＧＷ（Ｓｅｒｖｉｎｇ  Ｇａｔｅｗａｙ）とＰＧＷ  （ＰＤＮ  Ｇａｔｅｗａｙ）を含んで構成する通信システムであって、
前記端末装置は、
前記ＭＭＥにＰＤＮ（Ｐａｃｋｅｔ  Ｄａｔａ  Ｎｅｔｗｏｒｋ）コネクティビティ要求メッセージを送信し、
前記ＰＤＮコネクティビティ要求メッセージには、少なくともＡＰＮと、ＰＤＮタイプと、グローバリールータブルなＩＰアドレスを要求することを示す識別情報とを含み、
前記ＭＭＥは、
前記ＰＤＮコネクティビティ要求メッセージを前記端末装置から受信し、
前記ＰＤＮコネクティビティ要求メッセージには、少なくともＡＰＮと、ＰＤＮタイプと、グローバリールータブルなＩＰアドレスを要求することを示す識別情報とを含み、
前記ＰＤＮコネクティビティ要求メッセージの受信に基づいて、セッション確立要求メッセージを前記ＳＧＷへ送信し、
前記セッション確立要求メッセージには、少なくともＡＰＮと、ＰＤＮタイプと、
グローバリールータブルなＩＰアドレスを要求することを示す識別情報とを含み、
前記ＳＧＷは、
前記セッション確立要求メッセージを前記ＭＭＥから受信し、
前記セッション確立要求メッセージの受信に基づいて、セッション確立要求メッセージを前記ＰＧＷへ送信し、
セッション確立要求メッセージには、少なくともＡＰＮと、ＰＤＮタイプと、グローバリールータブルなＩＰアドレスを要求することを示す識別情報とを含み、
ＰＧＷ（ＰＤＮ  Ｇａｔｅｗａｙ）は、
前記セッション確立要求メッセージを前記ＳＧＷから受信し、
前記セッション確立要求メッセージには、少なくともＡＰＮと、ＰＤＮタイプと、グローバリールータブルなＩＰアドレスを要求することを示す識別情報とを含み、
前記識別情報の受信に基づいて、グローバリールータブルなＩＰアドレスを割り当て、
前記セッション確立要求メッセージに対する応答として、セッション確立応答メッセージを前記ＳＧＷへ送信し、
前記セッション確立応答メッセージには、少なくともＡＰＮと、ＰＤＮタイプと、前記ＩＰアドレスを含めて送信し、
前記ＳＧＷは、
前記セッション確立応答メッセージを前記ＰＧＷから受信し、
前記セッション確立応答メッセージメッセージには、少なくともＡＰＮと、ＰＤＮタイプと、前記ＩＰアドレスを含み、
前記セッション確立応答メッセージの受信に基づいて、前記ＭＭＥが送信する前記セッション確立要求メッセージに対する応答として、セッション確立応答メッセージを前記ＭＭＥに送信し、
前記セッション確立応答メッセージには、少なくともＡＰＮと、ＰＤＮタイプと、前記ＩＰアドレスを含めて送信し、
前記ＭＭＥは、
前記セッション確立応答メッセージを前記ＳＧＷから受信し、
前記セッション確立応答メッセージメッセージには、少なくともＡＰＮと、ＰＤＮタイプと、前記ＩＰアドレスを含み、
前記セッション確立応答メッセージの受信に基づいて、前記ＭＭＥが送信する前記ＰＤＮコネクティビティ要求メッセージに対する応答として、ＰＤＮコネクティビィティアクセプトメッセージを前記基地局に送信し、
前記ＰＤＮコネクティビィティアクセプトメッセージには、少なくともＡＰＮと、ＰＤＮタイプと、前記ＩＰアドレスを含めて送信し、
前記基地局装置は、
前記ＰＤＮコネクティビィティアクセプトメッセージを前記ＭＭＥから受信し、
前記ＰＤＮコネクティビィティアクセプトメッセージには、少なくともＡＰＮと、ＰＤＮタイプと、前記ＩＰアドレスを含み、
前記セッション確立応答メッセージの受信に基づいて、ＰＤＮコネクティビィティアクセプトメッセージを前記端末装置に送信し、
前記ＰＤＮコネクティビィティアクセプトメッセージには、少なくともＡＰＮと、ＰＤＮタイプと、前記ＩＰアドレスを含めて送信し、
前記端末装置は、
前記ＰＤＮコネクティビィティアクセプトメッセージを前記基地局装置から受信し、
前記ＰＤＮコネクティビィティアクセプトメッセージには、少なくともＡＰＮと、ＰＤＮタイプと、ＩＰアドレスを含み、
前記識別情報の送信に基づいて、前記ＩＰアドレスとしてグローバリールータブルなＩＰアドレスを取得する
ことを特徴とする通信システム。
【発明の詳細な説明】
【技術分野】
【０００１】
本発明は、端末装置、ＭＭＥ、ＰＧＷ、通信システムおよび通信制御方法等に関する。
【背景技術】
【０００２】
近年の移動通信システムの標準化活動を行う３ＧＰＰ（The 3rd Generation Partnership Project）では、オールＩＰ化を実現する、非特許文献１に記載のＥＰＳ（Evolved Packet System）の仕様化を行っている。３ＧＰＰではＥＰＳに接続されるアクセスシステムを、ＬＴＥ（Long Term Evolution）だけでなく、無線ＬＡＮである場合も含めて検討している。
【０００３】
更に、３ＧＰＰのＥＰＳの仕様化の中で、非特許文献２に記載のＰｒｏＳｅ（Proximity based Service）について検討を行っている。ＰｒｏＳｅは、通信端末であるＵＥ（User Equipment）の間で近隣通信端末を検出する機能（ｄｉｓｃｏｖｅｒｙ）や、ＵＥ間で、コアネットワークや基地局を介さない直接通信を確立する機能（ｄｉｒｅｃｔ  ｃｏｍｍｕｎｉｃａｔｉｏｎ）を提供するサービスの実現を目指している。
【０００４】
３ＧＰＰのＥＰＳの仕様化の中では、非特許文献３に記載のｅＩＣＢＤ（Enhancements for Infrastructure based data Communication Between Devices）についても検討を行っている。ｅＩＣＢＤでは、Ｐ２Ｐ（Peer to Peer）などの普及に伴うアプリケーションの多様化や、様々なＭ２Ｍ（Machine to Machine）端末などによる端末の多様化に伴い、現在の通信形態に生じる課題を解決することを目的としている。ｅＩＣＢＤでは、端末間の通信方法の一つとして直接通信にＰｒｏＳｅを用いることを許可することが検討されている。
【０００５】
ｅＩＣＢＤでは、異なる移動通信事業者（Ｍｏｂｉｌｅ  Ｏｐｅｒａｔｏｒ）網に接続する端末間で、Ｐ２Ｐアプリケーションによる通信を行うため、ｇｌｏｂａｌｌｙ  ｒｏｕｔａｂｌｅ  ＩＰ  ａｄｄｒｅｓｓ（以下、ＧＲＩＰアドレス）を用いることがユースケースの一つとして考えられている。ＧＲＩＰアドレスは、Ｐ２Ｐアプリケーションによる通信を開始しようとする各ＵＥにより、各移動通信事業者に割り当てが要求される。
【先行技術文献】
【非特許文献】
【０００６】
【非特許文献１】３ＧＰＰ  ＴＳ２３．４０１  Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ、  Ｇｅｎｅｒａｌ  Ｐａｃｋｅｔ  Ｒａｄｉｏ  Ｓｅｒｖｉｃｅ  （ＧＰＲＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）  ａｃｃｅｓｓ  （Ｒｅｌｅａｓｅ  １２）
【非特許文献２】３ＧＰＰ  ＴＲ２３．３０３  Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ、  Ｐｒｏｘｉｍｉｔｙ−ｂａｓｅｄ  Ｓｅｒｖｉｃｅｓ（ＰｒｏＳｅ）、  Ｓｔａｇｅ２（Ｒｅｌｅａｓｅ  １２）
【非特許文献３】３ＧＰＰ  ＴＲ２２．８０７  Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ、  Ｓｔｕｄｙ  ｏｎ  ｅｎｈａｎｃｅｍｅｎｔｓ  ｆｏｒ  Ｉｎｆｒａｓｔｒｕｃｔｕｒｅ  ｂａｓｅｄ  ｄａｔａ  Ｃｏｍｍｕｎｉｃａｔｉｏｎ  Ｂｅｔｗｅｅｎ  Ｄｅｖｉｃｅｓ    （Ｒｅｌｅａｓｅ  １３）
【発明の概要】
【発明が解決しようとする課題】
【０００７】
ｅＩＣＢＤでは、ＧＲＩＰアドレスを用いた通信サービスの要求条件が検討されている。ＧＲＩＰアドレスは各移動通信事業者が、アプリケーションサーバに登録されているＵＥに割り当てることが非特許文献３に記載されている。しかし、ＵＥのＧＲＩＰアドレスの取得方法は明確になっていない。
【０００８】
本発明は、このような事情を鑑みてなされたもので、その目的は、現在の手続きに、なるべく影響がないように、ＧＲＩＰアドレスを取得する好適な手段を提供することである。
【課題を解決するための手段】
【０００９】
本発明の端末装置は、ＭＭＥ（Mobility Management Entity）にＰＤＮ（Packet Data Network）コネクティビティ要求メッセージを送信し、ＰＤＮコネクティビティ要求メッセージには、少なくともＡＰＮと、ＰＤＮタイプと、グローバリールータブルなＩＰアドレスを要求することを示す識別情報とを含み、ＰＤＮコネクティビティ要求メッセージに対する応答として、ＰＤＮコネクティビィティアクセプトメッセージを基地局装置から受信して、ＰＤＮコネクティビィティアクセプトメッセージには、少なくともＡＰＮと、ＰＤＮタイプと、ＩＰアドレスを含み、識別情報の送信に基づいて、ＩＰアドレスとしてグローバリールータブルなＩＰアドレスを取得することを特徴とする。
【００１０】
本発明の端末装置は、アプリケーションサーバに認証要求メッセージを送信し、認証要求メッセージの送信により、グローバリールータブルなＩＰアドレスを用いて通信を行うアプリケーションの利用に対する認証を要求し、認証に対する応答であり、アプリケーションサーバの送信する認証を完了したことを示す制御メッセージを受信し、制御メッセージの受信に基づいてＭＭＥにＰＤＮコネクティビティ要求メッセージを送信することを特徴とする。
【００１１】
本発明の端末装置は、制御メッセージに含まれる認証情報を取得し、少なくとも認証情報を含めてＭＭＥにＰＤＮコネクティビティ要求メッセージを送信することを特徴とする。
【００１２】
本発明の端末装置は、グローバリールータブルなＩＰアドレスを用いて通信を行うアプリケーションを識別する識別情報を記憶し、アプリケーションと、ＩＰアドレスを対応づけて記憶し、ＩＰアドレスを用いてアプリケーションの通信を行うことを特徴とする。
【００１３】
本発明の端末装置は、ＰＤＮコネクティビィティアクセプトメッセージの受信に基づいて、ＰＧＷ（PDN Gateway）との間にＰＤＮコネクションを確立し、アプリケーションの通信を、ＰＤＮコネクションを用いて行うことを特徴とする。
【００１４】
本発明の端末装置は、ＰＤＮコネクティビィティアクセプトメッセージの受信に基づいて、少なくとも、グローバリールータブルなＩＰアドレスを取得したことを示す識別情報と、アプリケーションを識別する情報を含んだアナウンス信号を近隣に報知し、端末装置と、端末装置がアプリケーションの通信をグローバリールータブルなＩＰアドレスを用いて行うことができることを、近隣端末に検出させることを特徴とする。
【００１５】
本発明の端末装置は、グローバリールータブルなＩＰアドレスを取得したことを示す識別情報は、ＩＰアドレスであることを特徴とする。
【００１６】
本発明のＭＭＥ（Mobility Management Entity）は、端末装置からＰＤＮ（Packet Data Network）コネクティビティ要求メッセージを受信し、ＰＤＮコネクティビティ要求メッセージには、少なくともＡＰＮと、ＰＤＮタイプと、グローバリールータブルなＩＰアドレスを要求することを示す識別情報とを含み、ＰＤＮコネクティビティ要求メッセージに対する応答として、ＰＤＮコネクティビィティアクセプトメッセージを基地局装置へ送信し、ＰＤＮコネクティビィティアクセプトメッセージには、少なくともＡＰＮと、ＰＤＮタイプと、ＩＰアドレスを含み、識別情報の受信に基づいて、ＩＰアドレスはグローバリールータブルなＩＰアドレスを含めて送信することを特徴とする。
【００１７】
本発明のＰＧＷ（PDN Gateway）であって、端末装置のＰＤＮ（Packet Data Network）コネクティビティ要求メッセージの送信に基づいて、セッション確立要求メッセージをＳＧＷ（Serving Gateway）から受信し、セッション確立要求メッセージには、少なくともＡＰＮと、ＰＤＮタイプと、グローバリールータブルなＩＰアドレスを要求することを示す識別情報とを含み、識別情報の受信に基づいて、グローバリールータブルなＩＰアドレスを割り当て、セッション確立要求メッセージに対する応答として、セッション確立応答メッセージをＳＧＷへ送信し、セッション確立応答メッセージメッセージには、少なくともＡＰＮと、ＰＤＮタイプと、ＩＰアドレスを含めて送信することを特徴とする。
【００１８】
本発明の端末装置は、ＭＭＥ（Mobility Management Entity）にＰＤＮ（Packet Data Network）コネクティビティ要求メッセージを送信し、ＰＤＮコネクティビティ要求メッセージには、少なくともＡＰＮと、ＰＤＮタイプと、を含み、ＰＤＮコネクティビティ要求メッセージに対する応答として、ＰＤＮコネクティビィティアクセプトメッセージを基地局装置から受信して、ＰＤＮコネクティビィティアクセプトメッセージには、少なくともＡＰＮと、ＰＤＮタイプと、ＩＰアドレスを含み、ＩＰアドレスをグローバリールータブルなＩＰアドレスに変更する要求メッセージをＭＭＥまたは基地局装置に送信し、ＩＰアドレスをグローバリールータブルなＩＰアドレスに変更する要求メッセージに対する応答メッセージを受信し、応答メッセージの受信に基づいて、ＩＰアドレスをグローバリールータブルなＩＰアドレスに変更することを特徴とする。
【００１９】
本発明の端末装置は、ＭＭＥ（Mobility Management Entity）にＰＤＮ（Packet Data Network）コネクティビティ要求メッセージを送信し、ＰＤＮコネクティビティ要求メッセージには、少なくともＡＰＮと、ＰＤＮタイプと、を含み、ＰＤＮコネクティビティ要求メッセージに対する応答として、ＰＤＮコネクティビィティアクセプトメッセージを基地局装置から受信して、ＰＤＮコネクティビィティアクセプトメッセージには、少なくともＡＰＮと、ＰＤＮタイプと、ＩＰアドレスを含み、ＩＰアドレスをグローバリールータブルなＩＰアドレスに変更する要求メッセージをＭＭＥまたは基地局装置に送信し、ＩＰアドレスをグローバリールータブルなＩＰアドレスに変更する要求メッセージに対する応答メッセージを受信し、応答メッセージの受信に基づいて、ＩＰアドレスをグローバリールータブルなＩＰアドレスに変更することを特徴とする。
【００２０】
本発明の端末装置の通信制御方法は、ＭＭＥ（Mobility Management Entity）にＰＤＮ（Packet Data Network）コネクティビティ要求メッセージを送信するステップと、ＰＤＮコネクティビティ要求メッセージには、少なくともＡＰＮと、ＰＤＮタイプと、グローバリールータブルなＩＰアドレスを要求することを示す識別情報とを含み、ＰＤＮコネクティビティ要求メッセージに対する応答として、ＰＤＮコネクティビィティアクセプトメッセージを基地局装置から受信するステップと、ＰＤＮコネクティビィティアクセプトメッセージには、少なくともＡＰＮと、ＰＤＮタイプと、ＩＰアドレスを含み、識別情報の送信に基づいて、ＩＰアドレスとしてグローバリールータブルなＩＰアドレスを取得するステップとを有することを特徴とする。
【００２１】
本発明の端末装置の通信制御方法は、グローバリールータブルなＩＰアドレスを用いて通信を行うアプリケーションの利用に対する認証を要求するためにアプリケーションサーバに認証要求メッセージを送信するステップと、認証に対する応答であり、アプリケーションサーバの送信する認証を完了したことを示す制御メッセージを受信するステップを有し、制御メッセージの受信に基づいてＭＭＥにＰＤＮコネクティビティ要求メッセージを送信することを特徴とする。
【００２２】
本発明の端末装置の通信制御方法は、制御メッセージに含まれる認証情報を取得するステップを有し、少なくとも認証情報を含めてＭＭＥにＰＤＮコネクティビティ要求メッセージを送信することを特徴とする。
【００２３】
本発明の端末装置の通信制御方法は、グローバリールータブルなＩＰアドレスを用いて通信を行うアプリケーションを識別する識別情報を記憶するステップと、アプリケーションと、ＩＰアドレスを対応づけて記憶するステップと、ＩＰアドレスを用いてアプリケーションの通信を行うステップとを有することを特徴とする。
【００２４】
本発明の端末装置の通信制御方法は、ＰＤＮコネクティビィティアクセプトメッセージの受信に基づいて、ＰＧＷ（ＰＤＮ  Ｇａｔｅｗａｙ）との間にＰＤＮコネクションを確立するステップを有し、アプリケーションの通信を、ＰＤＮコネクションを用いて行うことを特徴とする。
【００２５】
本発明の端末装置の通信制御方法は、ＰＤＮコネクティビィティアクセプトメッセージの受信に基づいて、少なくとも、グローバリールータブルなＩＰアドレスを取得したことを示す識別情報と、アプリケーションを識別する情報を含んだアナウンス信号を近隣に報知するステップを有し、端末装置と、端末装置がアプリケーションの通信をグローバリールータブルなＩＰアドレスを用いて行うことができることを、近隣端末に検出させることを特徴とする。
【００２６】
本発明の端末装置の通信制御方法は、グローバリールータブルなＩＰアドレスを取得したことを示す識別情報は、ＩＰアドレスであることを特徴とする。
【００２７】
本発明のＭＭＥ（Mobility Management Entity）の通信制御方法は、端末装置からＰＤＮ（Packet Data Network）コネクティビティ要求メッセージを受信するステップと、ＰＤＮコネクティビティ要求メッセージには、少なくともＡＰＮと、ＰＤＮタイプと、グローバリールータブルなＩＰアドレスを要求することを示す識別情報とを含み、ＰＤＮコネクティビティ要求メッセージに対する応答として、ＰＤＮコネクティビィティアクセプトメッセージを基地局装置へ送信するステップと、ＰＤＮコネクティビィティアクセプトメッセージには、少なくともＡＰＮと、ＰＤＮタイプと、ＩＰアドレスを含み、識別情報の受信に基づいて、ＩＰアドレスはグローバリールータブルなＩＰアドレスを含めて送信するステップとを有することを特徴とする。
【００２８】
本発明のＰＧＷ（PDN Gateway）の通信制御方法であって、端末装置のＰＤＮ（Packet Data Network）コネクティビティ要求メッセージの送信に基づいて、セッション確立要求メッセージをＳＧＷ（Ｓｅｒｖｉｎｇ  Ｇａｔｅｗａｙ）から受信するステップと、セッション確立要求メッセージには、少なくともＡＰＮと、ＰＤＮタイプと、グローバリールータブルなＩＰアドレスを要求することを示す識別情報とを含み、識別情報の受信に基づいて、グローバリールータブルなＩＰアドレスを割り当てるステップと、セッション確立要求メッセージに対する応答として、少なくともＡＰＮと、ＰＤＮタイプと、ＩＰアドレスを含めてセッション確立応答メッセージをＳＧＷへ送信するステップとを有することを特徴とする。
【００２９】
本発明の端末装置の通信制御方法は、ＭＭＥ（Mobility Management Entity）に少なくともＡＰＮと、ＰＤＮタイプを含めてＰＤＮ（Packet Data Network）コネクティビティ要求メッセージを送信するステップと、ＰＤＮコネクティビティ要求メッセージに対する応答として、少なくともＡＰＮと、ＰＤＮタイプと、ＩＰアドレスを含めたＰＤＮコネクティビィティアクセプトメッセージを基地局装置から受信するステップと、ＩＰアドレスをグローバリールータブルなＩＰアドレスに変更する要求メッセージをＭＭＥまたは基地局装置に送信するステップと、ＩＰアドレスをグローバリールータブルなＩＰアドレスに変更する要求メッセージに対する応答メッセージを受信するステップと、応答メッセージの受信に基づいて、ＩＰアドレスをグローバリールータブルなＩＰアドレスに変更するステップとを有することを特徴とする。
【００３０】
本発明の通信システムは少なくとも端末装置と基地局装置とＭＭＥ（Ｍｏｂｉｌｉｔｙ  Ｍａｎａｇｅｍｅｎｔ  Ｅｎｔｉｔｙ）とＳＧＷ（Ｓｅｒｖｉｎｇ  Ｇａｔｅｗａｙ）とＰＧＷ  （ＰＤＮ  Ｇａｔｅｗａｙ）を含んで構成する通信システムであって、端末装置は、ＭＭＥにＰＤＮ（Ｐａｃｋｅｔ  Ｄａｔａ  Ｎｅｔｗｏｒｋ）コネクティビティ要求メッセージを送信し、ＰＤＮコネクティビティ要求メッセージには、少なくともＡＰＮと、ＰＤＮタイプと、グローバリールータブルなＩＰアドレスを要求することを示す識別情報とを含み、ＭＭＥは、ＰＤＮコネクティビティ要求メッセージを端末装置から受信し、ＰＤＮコネクティビティ要求メッセージには、少なくともＡＰＮと、ＰＤＮタイプと、グローバリールータブルなＩＰアドレスを要求することを示す識別情報とを含み、ＰＤＮコネクティビティ要求メッセージの受信に基づいて、セッション確立要求メッセージをＳＧＷへ送信し、セッション確立要求メッセージには、少なくともＡＰＮと、ＰＤＮタイプと、グローバリールータブルなＩＰアドレスを要求することを示す識別情報とを含み、ＳＧＷは、セッション確立要求メッセージをＭＭＥから受信し、セッション確立要求メッセージの受信に基づいて、セッション確立要求メッセージをＰＧＷへ送信し、セッション確立要求メッセージには、少なくともＡＰＮと、ＰＤＮタイプと、グローバリールータブルなＩＰアドレスを要求することを示す識別情報とを含み、ＰＧＷ（ＰＤＮ  Ｇａｔｅｗａｙ）は、セッション確立要求メッセージをＳＧＷから受信し、セッション確立要求メッセージには、少なくともＡＰＮと、ＰＤＮタイプと、グローバリールータブルなＩＰアドレスを要求することを示す識別情報とを含み、識別情報の受信に基づいて、グローバリールータブルなＩＰアドレスを割り当て、セッション確立要求メッセージに対する応答として、セッション確立応答メッセージをＳＧＷへ送信し、セッション確立応答メッセージには、少なくともＡＰＮと、ＰＤＮタイプと、ＩＰアドレスを含めて送信し、ＳＧＷは、セッション確立応答メッセージをＰＧＷから受信し、セッション確立応答メッセージメッセージには、少なくともＡＰＮと、ＰＤＮタイプと、ＩＰアドレスを含み、セッション確立応答メッセージの受信に基づいて、ＭＭＥが送信するセッション確立要求メッセージに対する応答として、セッション確立応答メッセージをＭＭＥに送信し、セッション確立応答メッセージには、少なくともＡＰＮと、ＰＤＮタイプと、ＩＰアドレスを含めて送信し、ＭＭＥは、セッション確立応答メッセージをＳＧＷから受信し、セッション確立応答メッセージメッセージには、少なくともＡＰＮと、ＰＤＮタイプと、ＩＰアドレスを含み、セッション確立応答メッセージの受信に基づいて、ＭＭＥが送信するＰＤＮコネクティビティ要求メッセージに対する応答として、ＰＤＮコネクティビィティアクセプトメッセージを基地局に送信し、ＰＤＮコネクティビィティアクセプトメッセージには、少なくともＡＰＮと、ＰＤＮタイプと、ＩＰアドレスを含めて送信し、基地局装置は、ＰＤＮコネクティビィティアクセプトメッセージをＭＭＥから受信し、ＰＤＮコネクティビィティアクセプトメッセージには��少なくともＡＰＮと、ＰＤＮタイプと、ＩＰアドレスを含み、セッション確立応答メッセージの受信に基づいて、ＰＤＮコネクティビィティアクセプトメッセージを端末装置に送信し、ＰＤＮコネクティビィティアクセプトメッセージには、少なくともＡＰＮと、ＰＤＮタイプと、ＩＰアドレスを含めて送信し、端末装置は、ＰＤＮコネクティビィティアクセプトメッセージを基地局装置から受信し、ＰＤＮコネクティビィティアクセプトメッセージには、少なくともＡＰＮと、ＰＤＮタイプと、ＩＰアドレスを含み、識別情報の送信に基づいて、ＩＰアドレスとしてグローバリールータブルなＩＰアドレスを取得することを特徴とする。
【発明の効果】
【００３１】
本発明によれば、従来のＰＤＮコネクティビティ手続きを拡張し、ＵＥは移動通信事業者からグローバリールータブルなＩＰアドレスを取得することができる。
【図面の簡単な説明】
【００３２】
【図１】移動通信システムの概略を説明するための図である
【図２】ＩＰ移動通信ネットワークの構成等を説明するための図である
【図３】ＵＥの機能構成を説明するための図である
【図４】アプリケーションサーバの機能構成を説明するための図である
【図５】ＭＭＥの機能構成を説明するための図である
【図６】ＰＧＷの機能構成を説明するための図である
【図７】アプリケーションサーバの認証手続きを説明するための図である
【図８】ＧＲＩＰアドレスの取得方法を説明するための図である
【図９】ＧＲＩＰアドレスを用いた通信を説明するための図である
【図１０】ＴＡＵに伴ったＭＭＥ再割り当て手続きを説明するための図である
【図１１】ＰｒｏＳｅサーバの認証手続きを説明するための図である
【図１２】ＰｒｏＳｅのアナウンス手続きを説明するための図である
【図１３】サービスリクエストを用いたＩＰアドレスの変更手続きを説明するための図である
【図１４】ＵＥから開始するベアラ変更手続きを用いたＩＰアドレス変更手続きを説明するための図である
【発明を実施するための形態】
【００３３】
以下、図面を参照して本発明を実施する為に最良の形態について説明する。なお、本実施形態では一例として、本発明を適用した場合の移動通信システム等の実施形態について説明する。
【００３４】
［１．第１の実施形態］
以下、図面を参照しながら本発明の実施形態による無線通信技術について詳細に説明する。なお、本実施形態においては、ＧＲＩＰアドレスとは、グローバルユニークなＩＰアドレスに限定されず、グローバルにルーティング可能なＩＰアドレスであればよい。例えば、ＧＲＩＰアドレスはプライベートＩＰアドレスであってもよい。この場合、ＧＲＩＰアドレスは、コアネットワークによってＮＡＴ（Network Access Transportation）機能を用いてグローバルユニークなＩＰアドレスに変換されるＩＰアドレスであってもよい。
【００３５】
さらに、ＧＲＩＰアドレスは、複数の移動通信事業者によって異なるコアネットワーク等の移動通信事業者網を構成している場合の、ある移動通信事業者網によって端末装置に割り当てたＩＰアドレスであり、さらに、ＩＰアドレスを割り当てた移動通信事業者網から他の移動通信事業者網へルーティング可能なＩＰアドレスであってよい。このように、ＧＲＩＰアドレスとは、ある移動通信事業者網に接続する端末装置が取得するＩＰアドレスであり、その端末装置が、他の移動通信事業者網に接続する端末装置と通信を実行する際に用いるＩＰアドレスであってよい。
【００３６】
もしくは、ＧＲＩＰアドレスは、単一の移動通信事業者網に接続する端末間の通信に用いるＩＰアドレスであってもよい。
【００３７】
また、本実施形態においては、端末装置は従来手法に基づいてＧＲＩＰアドレスではない従来のＩＰアドレスを取得してもよい。従来のＩＰアドレスとは、本実施形態を通して説明する端末装置をはじめとするＩＰ移動ネットワークに含まれる装置によるＧＲＩＰアドレスに対する特別な処理を実行しないＩＰアドレスであってよい。また、従来ＩＰアドレスは、単一事業者により運用されるＩＰ移動通信ネットワーク内でのみルーティング可能なローカルルータビリティなＩＰアドレスであってよい。本実施形態では、こうしたＩＰアドレスを従来ＩＰアドレスと表記する。
【００３８】
また、本実施形態においては、端末装置はＧＲＩＰアドレスと従来ＩＰアドレスを両方同時に保有してもよい。また、端末装置はＩＰアドレスを取得する際、ＧＲＩＰアドレスの割り当てを要求するのか、もしくは従来ＩＰアドレスの割り当てを要求するのかを明示してＩＰアドレスの割り当てをコアネットワークに要求し、いずれかのＩＰアドレスを取得してもよい。さらに、端末装置はアプリケーションを実行するなどして実際にユーザデータを送受信する際、ＧＲＩＰか従来ＩＰアドレスのいずれかを選択して使用しても良い。
【００３９】
［１．１．通信システムの概要］
図１は、本実施形態における移動通信システムの概略を説明するための図である。本図に示すように、移動通信システム１は、ＵＥ（端末装置）１０と、ＩＰ移動通信ネットワーク５と、アプリケーションサーバ２０とから構成される。
【００４０】
ＩＰ移動通信ネットワーク５は、例えば、コアネットワークを含んで構成するネットワークであっても良いし、ブロードバンドネットワークであっても良い。また、ブロードバンドネットワークは、広帯域の通信を実現する有線アクセスネットワークであり、例えばＡＤＳＬ（Asymmetric Digital Subscriber Line）や光ファイバー等によって構築される。ただし、これに限らず、ブロードバンドネットワークはＷｉＭＡＸ（Worldwide Interoperability for Microwave Access）などの無線アクセスネットワークであっても良い。
【００４１】
ＵＥ１０は、ＬＴＥやＷＬＡＮまたは、ＷｉＭＡＸに接続する端末装置端末装置であり、３ＧＰＰ  ＬＴＥの通信インタフェースやＷＬＡＮの通信インタフェース、ＷｉＭＡＸの通信インタフェースなどを搭載して接続することにより、ＩＰ移動通信ネットワーク５へ接続することが可能である。
【００４２】
アプリケーションサーバ２０は、特定のアプリケーションの管理を行うサーバ装置であり、アプリケーションを使用するＵＥの認証等の管理機能を担う。例えば、アプリケーションサーバ２０は、ＰｒｏＳｅサーバであってもよい。ＰｒｏＳｅサーバとは、近隣端末の検出などのＰｒｏＳｅに関連する機能を提供するサービスに対して、ＵＥの認証等の管理機能を持つサーバ装置である。
【００４３】
次に、ＩＰ移動通信ネットワーク５の構成例を、図２を用いて説明する。図２のように、ＩＰ移動通信ネットワーク５は、ＵＥ１０とＰＤＮ９とに接続している。ＰＤＮ９は、ＵＥ１０とパケットでデータを送受信するネットワークであり、例えば、インターネットやＩＭＳやＰｒｏＳｅに関するサービスなどの特定サービスを提供するサービス網である。
【００４４】
ＩＰ移動通信ネットワーク５はＵＥ１０の契約する通信事業者が運用するネットワークであってよい。さらに、ＩＰ移動通信ネットワーク５はＵＥ１０のＨｏｍｅ  ＰＬＭＮであってよい。なお、ＩＰ移動通信ネットワーク５には、ＵＥ１０以外にも複数のＵＥが接続する事が可能である。
【００４５】
ＩＰ移動通信ネットワーク５はコアネットワーク７と各無線アクセスネットワーク（ＬＴＥ  ＡＮ８０、ＷＬＡＮ  ＡＮｂ７５、ＷＬＡＮ  ＡＮａ７０）を含んで構成してもよい。さらに、コアネットワーク７と各無線アクセスネットワーク（ＬＴＥ  ＡＮ８０、ＷＬＡＮ  ＡＮｂ７５、ＷＬＡＮ  ＡＮａ７０）は接続されて構成されてよい。
【００４６】
また、コアネットワーク７は、ＨＳＳ（Home Subscriber Server）５０、ＡＡＡ（Authentication、Authorization、 Accounting）５５、ＰＣＲＦ（Policy and Charging Rules Function）６０、ＰＧＷ（Packet Data Network Gateway）３０、ｅＰＤＧ（enhanced Packet Data Gateway）６５、ＳＧＷ（Serving Gateway）３５、ＭＭＥ（Mobile Management Entity）４０により構成される。
【００４７】
また、図１を用いて説明したアプリケーションサーバ２０は、ＰＤＮ９に含まれて構成されてもよいし、ＰＤＮ９と独立して、ＩＰ移動通信ネットワーク５に含まれて構成されてもよいし、コアネットワーク７に含まれて構成されても良い。
【００４８】
無線アクセスネットワークは、複数の異なるアクセスネットワークで構成されてよい。それぞれのアクセスネットワークはコアネットワーク７に接続されている。さらに、ＵＥ１０は無線アクセスネットワークに無線接続することができる。
【００４９】
無線アクセスネットワークには、ＬＴＥアクセスシステムで接続できるＬＴＥアクセスネットワーク（ＬＴＥ  ＡＮ８０）や、ＷＬＡＮアクセスシステムで接続できるアクセスネットワーク（ＷＬＡＮ  ＡＮｂ７５、ＷＬＡＮ  ＡＮａ７０）を構成することができる。
【００５０】
さらに、ＷＬＡＮアクセスシステムで接続可能なアクセスネットワークは、ｅＰＤＧ６５をコアネットワーク７への接続装置として接続するＷＬＡＮアクセスネットワークｂ（ＷＬＡＮ  ＡＮｂ７５）と、ＰＧＷ３０とＰＣＲＦ６０とＡＡＡ５５とに接続するＷＬＡＮアクセスネットワークａ（ＷＬＡＮ  ＡＮａ７５）とが構成可能である。
【００５１】
なお、各装置はＥＰＳを利用した移動通信システムにおける従来の装置と同様に構成されるため、詳細な説明は省略する。以下、各装置の簡単な説明をする。
【００５２】
ＰＧＷ３０はＰＤＮ９とＳＧＷ３５とｅＰＤＧ６５とＷＬＡＮ  ＡＮａ７０と、ＰＣＲＦ６０とＡＡＡ５５とに接続されており、ＰＤＮ９とコアネットワーク７のゲートウェイ装置としてユーザデータ配送を行う。
【００５３】
ＳＧＷ３５は、ＰＧＷ３０とＭＭＥ４０とＬＴＥ  ＡＮ８０とに接続されており、コアネットワーク７とＬＴＥ  ＡＮ８０とのゲートウェイ装置としてユーザデータ配送を行う。
【００５４】
ＭＭＥ４０は、ＳＧＷ３５とＬＴＥ  ＡＮ８０とＨＳＳ５０に接続されており、ＬＴＥ  ＡＮ８０を経由してＵＥ１０の位置情報管理と、アクセス制御を行うアクセス制御装置である。また、コアネットワーク７には、複数の位置管理装置が含まれて構成されてよい。例えば、ＭＭＥ４０とは異なる位置管理装置としてＭＭＥ４０とは異なるＭＭＥが含まれて構成されてもよい。ここで、ＭＭＥ４０と異なるＭＭＥをＭＭＥ−Ａ９０とする。ＭＭＥ―Ａ９０はＭＭＥ４０と同様にＳＧＷ３５とＬＴＥ  ＡＮ８０と、ＨＳＳ５０と接続されてよい。また、ＭＭＥ−Ａ９０は、ＭＭＥ４０が接続するＳＧＷ３５ではなく、コアネットワーク７に構成されるＳＧＷ３５とはことなるゲートウェイに接続されてもよい。
【００５５】
また、ＭＭＥ−Ａ９０とＭＭＥ４０とが接続されてもよい。これにより、ＭＭＥ−Ａ９０とＭＭＥ４０は、ＵＥ１０のコンテキストの送受信を行ってもよい。
【００５６】
ＨＳＳ５０はＭＭＥ４０とＡＡＡ５５とに接続されており、加入者情報の管理を行う管理ノードである。ＨＳＳ５０の加入者情報は、例えばＭＭＥ４０のアクセス制御の際に参照される。
【００５７】
ＡＡＡ５５は、ＰＧＷ３０と、ＨＳＳ５０と、ＰＣＲＦ６０と、ＷＬＡＮ  ＡＮａ７０とに接続されており、ＷＬＡＮ  ＡＮａ７０を経由して接続するＵＥ１０のアクセス制御を行う。
【００５８】
ＰＣＲＦ６０は、ＰＧＷ３０と、ＷＬＡＮ  ＡＮａ７５と、ＡＡＡ５５と、ＰＤＮ９に接続されており、データ配送に対するＱｏＳ管理を行う。例えば、ＵＥ１０とＰＤＮ９間の通信路のＱｏＳの管理を行う。
【００５９】
ｅＰＤＧ６５は、ＰＧＷ３０と、ＷＬＡＮ  ＡＮｂ７５とに接続されており、コアネットワーク７と、ＷＬＡＮ  ＡＮｂ７５とのゲートウェイ装置としてユーザデータの配送を行う。
【００６０】
また、図２（ｂ）に示すように、各無線アクセスネットワークには、ＵＥ１０が実際に接続される装置（例えば、基地局装置やアクセスポイント装置）等が含まれている。接続に用いられる装置は、無線アクセスネットワークに適応した装置が考えられる。
【００６１】
本実施形態においては、ＬＴＥ  ＡＮ８０はｅＮＢ４５を含んで構成される。ｅＮＢ４５はＬＴＥアクセスシステムでＵＥ１０が接続する無線基地局であり、ＬＴＥ  ＡＮ８０には１又は複数の無線基地局が含まれて構成されてよい。
【００６２】
ＷＬＡＮ  ＡＮａ７０はＷＬＡＮ  ＡＰａ７２と、ＧＷ（Gateway）７４とが含まれて構成される。ＷＬＡＮ  ＡＰａ７２はコアネットワーク７を運営する事業者に対して信頼性のあるＷＬＡＮアクセスシステムでＵＥ１０が接続する無線基地局であり、ＷＬＡＮ  ＡＮａ７０には１又は複数の無線基地局が含まれて構成されてよい。ＧＷ７４はコアネットワーク７とＷＬＡＮ  ＡＮａ７０のゲートウェイ装置である。また、ＷＬＡＮ  ＡＰａ７２とＧＷ７４とは、単一の装置で構成されてもよい。
【００６３】
コアネットワーク７を運営する事業者とＷＬＡＮ  ＡＮａ７０を運営する事業者が異なる場合でも、事業者間の契約や規約によりこのような構成での実現が可能となる。
【００６４】
また、ＷＬＡＮ  ＡＮｂ７５はＷＬＡＮ  ＡＰｂ７６を含んで構成される。ＷＬＡＮ  ＡＰｂ７６はコアネットワーク７を運営する事業者に対して信頼関係が結ばれていない場合に、ＷＬＡＮアクセスシステムでＵＥ１０が接続する無線基地局であり、ＷＬＡＮ  ＡＮｂ７５には１又は複数の無線基地局が含まれて構成されてよい。
【００６５】
このように、ＷＬＡＮ  ＡＮｂ７５はコアネットワーク７に含まれる装置であるｅＰＤＧ６５をゲートウェイとしてコアネットワーク７に接続される。ｅＰＤＧ６５は安全性を確保するためのセキュリティ機能を持つ。
【００６６】
なお、本明細書において、ＵＥ１０が各無線アクセスネットワークに接続されるという事は、各無線アクセスネットワークに含まれる基地局装置やアクセスポイント等に接続される事であり、送受信されるデータや信号等も、基地局装置やアクセスポイントを経由している。
【００６７】
［１．２．装置構成］
続いて、各装置構成について図を用いて簡単に説明する。
【００６８】
［１．２．１．ＵＥの構成図］
図３（ａ）は、本実施形態におけるＵＥ１０の構成を示す。ＵＥ１０は、制御部１００に、ＬＴＥインタフェース部１１０と、記憶部１４０とがバスを介して接続されている。
【００６９】
制御部１００は、ＵＥ１０を制御するための機能部である。制御部１００は、記憶部１４０に記憶されている各種プログラムを読み出して実行することにより各種処理を実現する。
【００７０】
ＬＴＥインタフェース部１１０は、ＵＥ１０がＬＴＥ基地局に接続し、ＩＰアクセスネットワークへ接続するための機能部である。また、ＬＴＥインタフェース部１１０には、外部アンテナ１１２が接続されている。
【００７１】
記憶部１４０は、許可情報１４４と、ＧＲＩＰアドレス情報１４６と、ＩＰアドレス情報１４８とが記憶されている。
【００７２】
許可情報１４４は、図３（ｂ）に示すように、アプリケーションサーバ２０から通知された許可情報であってよい。さらに、許可情報は、特定のアプリケーションの利用を許可することを示す情報であってよい。ここで、特定のアプリケーションとは、例えばＧＲＩＰアドレスを用いた通信を行うアプリケーションや、Ｐ２Ｐの通信形態によって通信を行うアプリケーションであってよい。また、許可情報は、ＧＲＩＰアドレスを用いた通信を行うアプリケーションや、Ｐ２Ｐの通信形態によって通信を行うアプリケーション等の、アプリケーションの属性毎に識別されるアプリケーション群に対応づけた許可情報であっても良い。
【００７３】
このように、ＵＥ１０は、アプリケーションの情報と許可情報を対応づけて記憶しても良い。
【００７４】
さらに、ＵＥ１０は、許可情報をＡＰＮ（Access Point Name）と関連づけて記憶してもよい。例えば、図３（ｂ）に示すように、許可情報１４４では、一つのＵＥに対して複数のＡＰＮを記憶してもよい。ＡＰＮはＵＥ１０に対する通信サービスや、ＵＥ１０がコアネットワークに接続するサービス網を識別可能な識別情報であり、図３（ｂ）に示す例では、ＡＰＮ１はＵＥ１０がＧＲＩＰアドレスを用いた通信サービス、またはＧＲＩＰアドレスを用いた通信サービスを提供するサービス網に対応する識別情報であり、ＡＰＮ２は、ＵＥ１０がＧＲＩＰアドレスではない従来のＩＰアドレスを用いた通信サービス、またはＧＲＩＰアドレスではない従来のＩＰアドレスを用いた通信サービスを提供するサービス網に対応する識別情報であることを示している。
【００７５】
ＧＲＩＰアドレス情報１４６は、ＡＰＮと、ＧＲＩＰアドレスとアプリケーション識別情報を記憶することができる。図３（ｃ）にＧＲＩＰアドレス１４６の一例を示す。図３（ｃ）に示すように、ＵＥ１０は、ＧＲＩＰアドレス情報１４６にＵＥのＡＰＮ情報と、ＧＲＩＰアドレスと、ＧＲＩＰアドレスを用いて通信をすることができるアプリケーションを識別するアプリケーション識別情報とを関連づけて記憶してもよい。ＵＥ１０は、ＧＲＩＰアドレス情報１４６より、関連付けられたＧＲＩＰアドレスを用いて、特定のアプリケーションの通信を行ってもよい。
【００７６】
ＩＰアドレス情報１４８は、ＧＲＩＰアドレスではない従来ＩＰアドレスを記憶する。図３（ｄ）に、ＩＰアドレス情報１４８の一例を示す。なお、ＵＥ１０は、ＩＰアドレスとＡＰＮとＩＰアドレスとアプリケーション識別情報とを関連づけて記憶してもよい。
【００７７】
ＵＥ１０は、ＧＲＩＰと従来ＩＰアドレスを記憶することにより、ＧＲＩＰアドレスを用いた通信のほかに、従来のＩＰアドレスを用いた通信も実行することができる。  なお、ＵＥ１０が、ＧＲＩＰアドレス情報１４６と、ＩＰアドレス情報１４８を同時に記憶している場合、ＵＥ１０は、アプリケーションの通信時に、アプリケーションの識別情報またはＡＰＮに基づいて、対応するＩＰアドレスを選択して利用してもよい。具体的な利用法方としては、ＵＥ１０はユーザデータの送信において、選択したＩＰアドレスを送信元ＩＰアドレスとして用いても良い。  より具体的には、ＵＥ１０が開始するサービスに用いるアプリケーションの識別情報がＡｐｐ  ＩＤ  Ａである場合、Ａｐｐ  ＩＤ  Ａのアプリケーションデータを送信において、ＵＥ１０は、図３（ｃ）に示す対応を基に送信するＩＰパケットの送信元ＩＰアドレスとしてＧＲＩＰアドレスを選択してもよい。
【００７８】
［１．２．２．アプリケーションサーバの構成］
次に、アプリケーションサーバ２０の構成につて、図４（ａ）を用いて説明する。図４（ａ）に示すように、アプリケーションサーバ２０は、制御部２００に、ＩＰ移動通信ネットワークインターフェース部２１０と、記憶部２４０とがバスを介して接続されている。
【００７９】
制御部２００は、アプリケーションサーバ２０を制御するための機能部である。制御部２００は、記憶部２４０に記憶されている各種プログラムを読み出して実行することにより各種処理を実現する。
【００８０】
アプリケーションサーバ２０は、記憶部２４０に、許可情報２４４とＧＲＩＰアドレス情報２４６とが記憶されている。
【００８１】
許可情報２４４は、図４（ｂ）に示すように、登録されているＵＥに対して、アプリケーションの利用の許可情報を記憶することができる。図４（ｂ）では、ＵＥ１０は、アプリケーションサーバ２０で管理されるアプリケーションの利用が許可されている。
【００８２】
ＧＲＩＰアドレス２４６は、図４（ｃ）に示すように、アプリケーションの利用を認証したＵＥ１０から通知されたＧＲＩＰアドレスを記憶することができる。
【００８３】
なお、許可情報２４６は、特定のアプリケーションの利用を許可することを示す情報であってよい。ここで、特定のアプリケーションとは、例えばＧＲＩＰアドレスを用いた通信を行うアプリケーションや、Ｐ２Ｐの通信形態によって通信を行うアプリケーションであってよい。また、許可情報は、ＧＲＩＰアドレスを用いた通信を行うアプリケーションや、Ｐ２Ｐの通信形態によって通信を行うアプリケーション等の、アプリケーションの属性毎に識別されるアプリケーション群に対応づけた許可情報であっても良い。
【００８４】
このように、アプリケーションサーバ２０は、端末装置毎に、アプリケーションの情報と許可情報を対応づけて記憶しても良い。
【００８５】
［１．２．３．ＭＭＥの構成］
次に、ＭＭＥ４０の構成について説明する。ＭＭＥ４０の装置構成を図５（ａ）に示す。図５（ａ）に示すように、ＭＭＥ４０は、制御部３００に、ＩＰ移動通信ネットワークインターフェース部３２０と、記憶部３４０とが、バスを介して接続されている。
【００８６】
制御部３００は、ＭＭＥ４０を制御するための機能部である。制御部３００は、記憶部３４０に記憶されている各種プログラムを読み出して実行することにより各種処理を実現する。
【００８７】
記憶部３４０には、許可情報３４２が記憶されている。許可情報３４２は、図５（ｂ）に示すように、ＭＭＥ４０が管理しているＵＥごとに許可情報を記憶することができる。さらに、ＵＥが登録するアプリケーションサーバの識別情報を登録してもよい。または、ＭＭＥ４０は、ＡＰＮごとＵＥがＧＲＩＰアドレスを用いた通信の許可情報３４２を記憶してもよい。
【００８８】
また、ＭＭＥ４０の代わりにＨＳＳ５０が、ＵＥの許可情報３４２を管理してもよい。この場合、ＨＳＳ５０はＵＥの識別子と対応付けて許可情報３４２を記憶してもよく、ＡＰＮごとに登録情報を記憶してもよい。
【００８９】
なお、許可情報３４２は、特定のアプリケーションの利用を許可することを示す情報であってよい。ここで、特定のアプリケーションとは、例えばＧＲＩＰアドレスを用いた通信を行うアプリケーションや、Ｐ２Ｐの通信形態によって通信を行うアプリケーションであってよい。また、許可情報は、ＧＲＩＰアドレスを用いた通信を行うアプリケーションや、Ｐ２Ｐの通信形態によって通信を行うアプリケーション等の、アプリケーションの属性毎に識別されるアプリケーション群に対応づけた許可情報であっても良い。
【００９０】
このように、ＭＭＥ４０は、端末装置毎に、アプリケーションの情報と許可情報を対応づけて記憶しても良い。
【００９１】
さらに、ＭＭＥ４０は、許可情報をＡＰＮ（Access Point Name）と関連づけて記憶してもよい。例えば、許可情報３４２では、一つのＵＥに対して複数のＡＰＮを記憶してもよい。ＡＰＮはＵＥ１０に対する通信サービスやＵＥ１０がコアネットワークを介して接続するサービス網に対応する識別情報であり、ＡＰＮ１はＵＥ１０がＧＲＩＰアドレスを用いた通信サービス、またはＧＲＩＰアドレスを用いた通信サービスを提供するサービス網に対応する識別情報であり、ＡＰＮ２は、ＵＥ１０がＧＲＩＰアドレスではない従来のＩＰアドレスを用いた通信サービス、またはＧＲＩＰアドレスではない従来のＩＰアドレスを用いた通信サービスを提供するサービス網に対応する識別情報であることを示している。
【００９２】
［１．２．４．ＰＧＷの構成］
次に、ＰＧＷ３０の構成について説明する。ＰＧＷ３０の装置構成を図６（ａ）に示す。図６（ａ）に示すように、ＰＧＷ３０は、制御部４００に、ＩＰ移動通信ネットワークインターフェース部４２０と記憶部４４０とがバスを介して接続されている。
【００９３】
制御部４００は、ＰＧＷ３０を制御するための機能部である。制御部４００は、記憶部４４０に記憶されている各種プログラムを読み出して実行することにより各種処理を実現する。
【００９４】
記憶部４４０は、ＧＲＩＰアドレス管理表を記憶することができる。ＧＲＩＰアドレス管理表は図６（ｂ）に示すように、ＰＧＷが割り当てた各ＵＥのＧＲＩＰアドレスを管理することができる。
【００９５】
なお、ＰＧＷ３０は、ＵＥ１０から受信したユーザデータが含まれるＩＰパケットのＩＰヘッダを確認し、送信元ＩＰアドレスがＧＲＩＰアドレスであれば宛先に転送し、そうでなければ、パケットの破棄や、パケットの転送を停止するなどの処理を実行してもよい。
【００９６】
［１．３．処理の説明］
次に、ＵＥがＧＲＩＰアドレスを取得する処理について説明する。以下に、ＵＥ１０がアプリケーションサーバ２０を探索し、アプリケーションサーバ２０へ認証要求を送信し、応答を受信するまでの認証等の手続きと、ＰＤＮコネクティビティ手続きを拡張したＧＲＩＰアドレスの取得手続きについて説明する。
【００９７】
［１．３．１．アプリケーションサーバへの登録手続き］
図７を用いて、ＵＥ１０からアプリケーションサーバ２０への登録手続きを説明する。
【００９８】
まず、ＵＥ１０はアタッチ手続きを実行し、コアネットワークに接続する（Ｓ５０２）。結果、ＵＥ１０はＰＧＷ３０との間にＰＤＮコネクションを確立する。ＰＤＮコネクションはＰＤＮ９との間でデータを送受信するための通信路である。アタッチ手続きはＵＥ１０の電源投入時など、初期手続きとして実行されて良い。
【００９９】
より具体的にはアタッチ手続きは、ＵＥ１０がＭＭＥ４０にアタッチ要求を送信して開始する。アタッチ要求には、ＡＰＮや、ＩＭＳＩ(International Mobile Subscriber Identity)などのＵＥの識別情報を含めて送信してもよい。ＡＰＮはアタッチ要求メッセージに必ずしも含まれる必要はなく、アタッチ手続き内の制御メッセージによってＵＥ１０からＭＭＥ４０に通知されてもよい。なお、ここで送信するＡＰＮは、ＧＲＩＰアドレスを用いて通信を行うアプリケーションや、ＧＲＩＰアドレスを用いて通信を行う通信サービスに対応づけられたＡＰＮではなくてよい。もしくは、ＡＰＮは、ＧＲＩＰアドレスの割り当てを禁止する許可情報と対応づけられたＡＰＮであってよい。したがって、アタッチ手続きでＡＰＮを送信してＵＥ１０が取得するＩＰアドレスは、ＧＲＩＰアドレスではなく、従来ＩＰアドレスであってよい。
【０１００】
ＭＭＥ４０は、受信したＵＥの識別情報またはＡＰＮに基づいて、許可情報を確認する。つまり、図５（ｂ）に示すようにＵＥの識別情報に許可情報が対応している場合は、ＵＥの識別情報を許可情報の確認に用いる。ＵＥ１０の許可情報が確認できたら、ＭＭＥ４０は受信したＡＰＮに基づいてＰＧＷ３０を選択し、ＵＥ１０に対するＰＤＮコネクションの端点を決定する。さらに、ＰＤＮコネクションの確立や、コアネットワークへの接続を許可し、アタッチ要求メッセージに対する応答となるアタッチ許可メッセージをＵＥ１０に送信する。なお、アタッチ許可メッセージは、ＭＭＥ４０から直接ＵＥ１０に送信されてもよいし、ＬＴＥ  ＡＮ８０に含まれるｅＮＢ４５を介して送信されてもよい。
【０１０１】
また、ＭＭＥ４０は、アタッチ許可メッセージの送信により、ＵＥ１０がコアネットワーク接続を許可されたこと通知してもよい。また、ＭＭＥ４０は、アタッチ許可メッセージの送信により、ＰＤＮコネクションを確立したことを通知してもよい。さらに、アタッチ許可メッセージには、ＰＤＮコネクションに対応づけられたＩＰアドレスや、ＡＰＮを含めて送信してもよい。さらに、ＩＰアドレスに対応したＴＦＴ（Ｔｒａｆｆｉｃ  Ｆｌｏｗ  Ｔｅｍｐｌａｔｅ）等の、通信フローやアプリケーションを識別する識別情報をメッセージに含めて送信してもよい。
【０１０２】
以上の手続きにより、ＵＥ１０は従来ＩＰアドレスをコアネットワークから取得し、従来ＩＰアドレスを用いた通信を実行可能となる。
ＵＥ１０は、従来ＩＰアドレス取得後、ＧＲＩＰを取得するために、アプリケーションサーバへの登録手続きを実行してもよい。
以下に、アプリケーションサーバへの登録手続きを説明する。まず、ＵＥ１０は、アプリケーションサーバ２０を探索し、探索したアプリケーションサーバ２０とセキュアな通信を確保する（Ｓ５０４）。なお、アプリケーションサーバ２０は、ＵＥ１０がＧＲＩＰアドレスを用いて通信を行うアプリケーションに対応するアプリケーションサーバであってよい。さらに、アプリケーションサーバ２０は、登録手続きにおいて、ＵＥ１０に対してアプリケーションの利用に対する認証や、ＵＥ１０のＧＲＩＰの取得に対する承認等の処理を行っても良い。
【０１０３】
なお、ＵＥ１０がアプリケーションサーバ２０を探索する方法は、例えば、ＵＥ１０は予めアプリケーションサーバのＦＱＤＮ（Fully Qualified Domain Name）等のアプリケーションサーバの識別情報を保持しておき、ＵＥ１０はその識別情報をもとにＤＮＳ（Domain Name System）サーバへ問い合わせを行う制御情報を送信し、制御情報の応答とともにアプリケーションサーバのＩＰアドレスを取得するなどにより、アプリケーションサーバ２０を探索することができる。なお、アプリケーションサーバ２０の探索方法はこれに限定されるものではなく、予めＵＥ１０が記憶するなど、他の方法を用いて探索しても良い。
【０１０４】
また、ＵＥ１０とアプリケーションサーバ２０間にセキュアな通信路を確立する方法としてＩＰＳｅｃを用いてもよい。通信路の確立方法もこれに特に限定されず、ＵＥ１０とアプリケーションサーバ２０間でセキュアな通信路が確立できればよい。
【０１０５】
次に、ＵＥ１０は、アプリケーションサーバ２０へ、ＵＥ１０がＧＲＩＰアドレスを用いて通信するアプリケーションを利用することに対する認証の要求を送信する（Ｓ５０６）。この要求には、従来の要求と同様に、特定のアプリケーション利用の登録要求に加え、ＧＲＩＰアドレスの割当の要求が含まれる。つまり、ＵＥ１０は認証要求メッセージの送信により、アプリケーションサーバ２０に、ＧＲＩＰアドレスを用いて通信を行う特定のアプリケーションの利用に対する認証と、ＧＲＩＰアドレスの割り当てと、を要求してよい。なお、この要求は、ＧＲＩＰアドレスを用いて通信を行うアプリケーションが予め決定している場合等では、こうした特定のアプリケーションの利用に対する認証の要求であってよい。
【０１０６】
具体的には、アプリケーションサーバ２０への認証要求には、ＵＥ１０の位置情報や、ＵＥ１０の識別情報を含めてもよい。ＵＥの位置情報には、ＬＴＥ基地局装置のＣｅｌｌ  ＩＤや、ＴＡＩ（Tracking Area ID）や、ＧＰＳ（Global Positioning System）の情報を含めてもよい。
【０１０７】
アプリケーションサーバ２０は、ＵＥ１０から認証要求を受信し、受信に基づき認証応答をＵＥ１０に送信する（Ｓ５０８）。アプリケーションサーバ２０は、認証応答に、認証の結果を示す認証情報を含めてもよい。また、アプリケーションサーバ２０は、認証応答に、ＴＦＴやＡＰＮなど、アプリケーションを識別できる情報を含めてもよい。また、この両方を含めてもよい。
【０１０８】
ＵＥ１０は、認証要求メッセージの応答として、認証応答を示す制御メッセージを受信する。ＵＥ１０は、制御メッセージに含まれる認証情報を取得してよい。
【０１０９】
なお、アプリケーションサーバ２０は、ユーザ情報と許可情報を予め対応づけて管理しておき、こうした管理情報に基づいて認証要求を送信するＵＥ１０に対する認証結果を決定しても良い。
【０１１０】
ＵＥ１０は、アプリケーションサーバ２０から認証要求メッセージの応答として、認証応答メッセージを受信する。ここで、認証応答メッセージに含まれる情報を記憶してもよい。さらに、ＵＥ１０は、アプリケーションサーバ２０に認証されたことを示すメッセージの受信に基づいてＧＲＩＰアドレスを取得する手続きを開始してもよい。具体的なＧＲＩＰアドレス取得手続きとして、ＵＥ１０は、ＧＲＩＰアドレスの要求含めたＰＤＮコネクティビティ手続きを開始してもよい（Ｓ５１０）。
【０１１１】
［１．３．２．ＰＤＮコネクティビティ手続きに伴ったＧＲＩＰアドレス割り当て］
図８を用いて、図７のＰＤＮコネクティビティ手続き（Ｓ５１０）の詳細について説明する。ＵＥ１０は、ＭＭＥ４０にＰＤＮコネクティビティ要求を送信する（Ｓ６０２）。ＰＤＮコネクティビティ要求には、少なくともＡＰＮと、ＰＤＮタイプと、ＧＲＩＰアドレスを要求する事を示す識別情報とが含まれる。また、ＰＤＮコネクティビティ要求に、アプリケーションサーバ２０から受信した、アプリケーションを利用することに対する認証情報を含めてもよい。
【０１１２】
ここで、ＧＲＩＰアドレスを要求する事を示す識別情報はＡＰＮであってもよい。なお、ここで送信するＡＰＮは、ＧＲＩＰアドレスを用いて通信を行うアプリケーションや、ＧＲＩＰアドレスを用いて通信を行う通信サービスに対応づけられたＡＰＮであってよい。ＵＥ１０は、こうしたＡＰＮを送信するＰＤＮコネクティビィティ手続きを行うことにより、ＧＲＩＰアドレスの割り当てを要求してもよい。また、ＵＥ１０が複数ＡＰＮを保持している場合には、ＧＲＩＰアドレスを取得するために、こうしたＡＰＮを選択してＰＤＮコネクティビィティ要求メッセージに含めて送信してもよい。もしくは、ＧＲＩＰアドレスを要求する事を示す識別情報をＰＤＮタイプに含めてもよい。従来のＰＤＮタイプはＩＰｖ４アドレス、ＩＰｖ６アドレス、もしくはその両方を識別することができたが、本実施形態におけるＰＤＮタイプは、これらに加えてＧＲＩＰアドレスのＩＰｖ４アドレス、ＧＲＩＰアドレスのＩＰｖ６アドレス、さらにはＧＲＩＰアドレスの両方のアドレスを識別する情報であってもよい。なお、ＵＥ１０がＧＲＩＰアドレスの取得を要求する場合には、ＵＥ１０は、ＧＲＩＰアドレスのＩＰｖ６アドレスを示すＰＤＰタイプ等を含めてＰＤＮコネクティビィティ要求を送信して、ＧＲＩＰアドレスを要求してもよい。
【０１１３】
なお、これらに限らず、ＧＲＩＰアドレスを要求する事を示す識別情報には、フラグ等を用いてもよい。
【０１１４】
ＭＭＥ４０はＵＥ１０からＰＤＮコネクティビティ要求を受信する。ＭＭＥ４０は、ＰＤＮコネクティビティ要求に含まれる、ＡＰＮと、ＰＤＮタイプとＧＲＩＰアドレスを要求する事を示す識別情報を受信してもよい。ＭＭＥ４０は、ＰＤＮコネクティビティ要求に含まれる受信したＡＰＮに基づいて、ＳＧＷ３５とＰＧＷ３０を決定する。これにより、ＵＥ１０とＰＤＮ９との間の通信路における中継装置であるゲートウェイを決定する。
【０１１５】
次に、ＭＭＥ４０は、セッション確立要求をＳＧＷ３５に送信する（Ｓ６０４）。ＭＭＥ４０は、セッション確立要求に、ＡＰＮ、ＰＤＮタイプ、ＰＧＷ３０を識別する情報、ＧＲＩＰアドレスを要求する事を示す識別情報、を含めて送信してもよい。また、ＧＲＩＰアドレスを要求する事を示す識別情報としてＡＰＮを用いてもよい。
【０１１６】
なお、ＭＭＥ４０は、ユーザ情報と、ユーザにＧＲＩＰアドレスの割り当てるかを示す許可情報を予め対応づけて管理しておき、こうした管理情報に基づいてＧＲＩＰアドレスの割り当ての認証を行い、認証の結果に基づいてセッション確立要求を送信してもよい。具体的には、ＵＥ１０にＧＲＩＰアドレスの割り当てを許可した場合には、ＳＧＷ３５にセッション確立要求を送信する。また、割り当てを許可しない場合には、ＭＭＥ４０は、ＰＤＮコネクティビィティ要求に対する応答をＵＥ１０へ送信し、ＧＲＩＰアドレスの割り当てを行わないことや、ＰＤＮコネクションの確立を許可しないこと等を通知してもよい。また、ＭＭＥ４０は、ｅＮＢ４５を介してＵＥ１０に応答メッセージを送信してもよい。
【０１１７】
なお、ユーザにＧＲＩＰアドレスの割り当ての要否を示す許可情報は、ＧＲＩＰアドレスを用いて通信を行うアプリケーションや、ＧＲＩＰアドレスを用いて通信を行う通信サービスに対応づけられたＡＰＮを用いた接続をＵＥ１０ａに許可するかを示す情報であってもよいし、ユーザやＵＥ１０ａに対応づけて管理する、ＧＲＩＰアドレスを用いて通信を行うアプリケーションや、ＧＲＩＰアドレスを用いて通信を行う通信サービスを許容するかどうかを示す加入者情報であってよい。
【０１１８】
なお、ＭＭＥ４０は、セッション確立要求の送信により、ＵＥ１０とＰＧＷ３０との間のＰＤＮコネクションの確立を要求してもよく、ＧＲＩＰアドレスを要求してもよい。
【０１１９】
ＳＧＷ３５は、ＭＭＥからセッション確立要求を受信する。ＳＧＷ３５は、セッション確立要求に含まれるＡＰＮと、ＰＤＮタイプと、ＰＧＷの識別情報、ＧＲＩＰアドレスの要求する事を示す識別情報を受信してもよい。
【０１２０】
さらに、ＳＧＷ３５はＰＧＷ３０にセッション確立要求を送信する（Ｓ６０６）。ＳＧＷ３５が送信するセッション確立要求には、少なくともＡＰＮと、ＰＤＮタイプと、ＰＧＷの識別情報と、ＧＲＩＰアドレスを要求する事を示す識別情報を含めて送信してもよい。これにより、ＳＧＷ３５は、ＰＧＷ３０に、ＵＥ１０とＰＧＷ３０との間のＰＤＮコネクションの確立を要求してもよく、ＵＥ１０にＧＲＩＰアドレスを割り当てることを要求してもよい。
【０１２１】
ＰＧＷ３０は、ＳＧＷ３５からセッション確立要求を受信する。ＰＧＷ３０はセッション確立要求に含まれるＡＰＮと、ＰＤＮタイプと、ＧＲＩＰアドレスを要求することを示す識別情報を受信してもよい。
【０１２２】
ＰＧＷ３０は、セッション確立要求の受信に基づき、ＵＥ１０にＧＲＩＰアドレスを割り当てる（Ｓ６０８）。
【０１２３】
なお、ＰＧＷ３０は、ＧＲＩＰアドレスを要求することを示す情報に基づいてＧＲＩＰアドレスの割り当てを実施してもよい。具体的には、ＧＲＩＰアドレスを要求することを示す情報を受信した場合には、ＰＧＷ３０はＧＲＩＰアドレスを割り当て、ＧＲＩＰアドレスを要求することを示す情報を受信していない場合には、従来のＩＰアドレスを割り当てても良い。
【０１２４】
なお、ＧＲＩＰアドレスを要求することを示す情報がＡＰＮの場合、受信したＡＰＮがＧＲＩＰアドレスを用いて通信を行うアプリケーションや、ＧＲＩＰアドレスを用いて通信を行う通信サービスに対応づけられたＡＰＮである場合には、ＰＧＷ３０はＵＥ１０にＧＲＩＰアドレスを割り当て、他のアプリケーションや通信サービスに対応づけられたＡＰＮを受信した場合には、ＰＧＷ３０は、従来ＩＰアドレスを割り当てても良い。
【０１２５】
ＰＧＷ３０は、セッション確立要求に対する応答メッセージとして、セッション確立応答メッセージをＳＧＷ３５に送信する（Ｓ６１０）。ＰＧＷ３０はセッション確立応答メッセージに、ＡＰＮと、ＰＤＮタイプと、ＵＥに割り当てたＩＰアドレスを含めて送信してもよい。更に、セッション確立応答メッセージにＩＰアドレスの利用が有効期間を示すタイマーを含めてもよい。
【０１２６】
ＳＧＷ３５はＰＧＷ３０からセッション確立応答メッセージを受信し、ＵＥ１０に割り当てたＧＲＩＰアドレスを取得する。次に、ＳＧＷ３５はＭＭＥ４０から受信したセッション確立要求に対する応答として、セッション確立応答メッセージをＭＭＥ４０に送信する（Ｓ６１２）。セッション確立応答メッセージには、ＡＰＮとＰＤＮタイプとＩＰアドレスを含む。ＭＭＥ４０は、セッション確立応答に含まれるＡＰＮと、ＰＤＮタイプと、ＵＥに割り当てられたＩＰアドレスを受信してもよい。更に、セッション確立応答メッセージにＩＰアドレスの利用が有効期間を示すタイマーを含めてもよい。
【０１２７】
次に、ＭＭＥ４０は、ＵＥ１０が送信するＰＤＮコネクション要求の応答メッセージとして、ＰＤＮコネクティビティアクセプトをｅＮＢ４５に送信する（Ｓ６１４）。ＰＤＮコネクティビティアクセプトは、少なくともＡＰＮと、ＰＤＮタイプと、ＵＥ１０に割り当てられたＩＰアドレスと、とを含めて送信してもよい。ここで、ＭＭＥ４０は、ＩＰアドレスとして、ＧＲＩＰアドレスを含めても送信してもよい。
【０１２８】
更に、ＭＭＥ４０は、メッセージにＰＤＮコネクティビティアクセプトにＧＲＩＰアドレスの利用が有効期間を示すタイマーを含めてもよい。
【０１２９】
ｅＮＢ４５は、ＰＤＮコネクティビティアクセプトを受信し、ＰＤＮコネクティビティアクセプトに含まれるＵＥの識別情報と、ＵＥ１０に割り当てたＧＲＩＰアドレスと、接続するＡＰＮを識別する情報とを受信してもよい。
【０１３０】
ｅＮＢ４５は、この受信に基づき、ＵＥ１０とｅＮＢ４５間に確立する無線リソースを割り当ててもよい。
【０１３１】
さらに、ｅＮＢ４５は、ＲＲＣ接続再設定メッセージを含める、ＰＤＮコネクティビティアクセプトをＵＥ１０に送信してもよい（Ｓ６１６）。ＰＤＮコネクティビティアクセプトには、ＵＥの識別情報と、ＵＥに割り当てたＧＲＩＰアドレスと、接続するＡＰＮを識別する情報とを含めて送信してもよい。更には、リソースに関する情報やＧＲＩＰアドレスの有効期間を示すタイマーなどを含めて送信してもよい。
【０１３２】
ＵＥ１０は、ＰＤＮコネクティビティアクセプトとＲＲＣ接続再設定メッセージを受信する。ＵＥ１０は、ＰＤＮコネクティビティアクセプトに含まれる、ＵＥの識別情報と、ＵＥに割り当てたＧＲＩＰアドレスと、接続するＡＰＮを識別する情報と、ＰＤＮタイプと、を受信してもよい。ＵＥ１０は、ＰＤＮコネクティビティアクセプトメッセージの受信に基づき、ＧＲＩＰアドレスを取得する。
【０１３３】
更に、ＰＤＮコネクティビティアクセプトとＲＲＣ再接続設定メッセージの受信により、ＵＥ１０はＡＰＮに対する接続性が確立されたことを検出してもよい。さらに、ＵＥ１０は、ＡＰＮに対応する通信を行うための通信路が確立されたことを検出してもよい。また、ＵＥ１０は、ＡＰＮに対応する、グローバリールータブルな通信に使用するＧＲＩＰアドレスを取得してもよい。
【０１３４】
ＵＥ１０はＰＤＮコネクティビティアクセプトメッセージの受信に基づき、ＰＧＷとの間にＰＤＮコネクションを確立してよい。
【０１３５】
次に、ＵＥ１０は、ＲＲＣ接続再設定完了メッセージをｅＮＢ４５に送信する（Ｓ６１８）。さらに、直接転送メッセージをｅＮＢ４５に送信する（Ｓ６２２）。
【０１３６】
ｅＮＢ４５は、ＲＲＣ接続再設定完了メッセージの受信にともない、初期コンテキスト設定応答メッセージをＭＭＥ４０に送信する（Ｓ６２０）。また、ｅＮＢ４５は、直接転送メッセージの受信に伴い、アタッチ完了メッセージをＭＭＥ４０に送信する（Ｓ６４０）。
【０１３７】
以上により、ＵＥ１０はＰＧＷ３０との間にＰＤＮコネクションを確立することができる。ＵＥ１０は、確立したＰＤＮコネクションを用いて、アプリケーションサーバ２０で管理されるアプリケーションの通信を行ってよい。
【０１３８】
次に、ＵＥ１０はｅＮＢ４５から受信したＧＲＩＰアドレスとアプリケーション識別情報を対応付ける（Ｓ６２６）。ここで、アプリケーション識別情報はＧＲＩＰアドレスを用いた通信を行うアプリケーションを識別する識別情報である。具体的なアプリケーション識別情報は、ＡＰＮであってよい。さらに、ここで記憶するＡＰＮは、ＧＲＩＰアドレスを用いて通信を行うアプリケーションや、ＧＲＩＰアドレスを用いて通信を行う通信サービスに対応づけられたＡＰＮであってよい。もしくは、アプリケーション識別情報はアプリケーションのフローを識別するＴＦＴであってもよい。もしくは、アプリケーション識別情報としてＡＰＮとＴＦＴの両方を記憶しても良い。これにより、ＵＥ１０は、アプリケーションの通信を実施する際、アプリケーション識別情報を基に対応するＧＲＩＰアドレスを選択し、選択したＧＲＩＰアドレスを用いてアプリケーション識別情報で識別されるアプリケーションデータの送受信を行うことができる。
【０１３９】
以上により、ＵＥ１０は、アプリケーション識別情報で識別されたアプリケーションの通信を、ＰＧＷ３０との間に確立したＰＤＮコネクションを用いて行うことができる。
【０１４０】
［１．３．３．ＧＲＩＰアドレスを用いた端末間通信例］
次に、ＧＲＩＰアドレスを用いた端末間通信のサービス例を示す。ここで、アプリケーション識別情報で識別されるアプリケーションは、Ｐ２Ｐなどデバイス間の通信を実現するアプリケーションである。
【０１４１】
図９に、ＧＲＩＰアドレスを用いた端末間通信例を説明するためのシステムの全体図を示す。図９に示す通信システム２は、ＵＥ１０ａと、ＵＥ１０ｂと、ＩＰ移動通信ネットワーク５とアプリケーションサーバ２０で構成されている。
【０１４２】
図９では、ＵＥ１０ａとＵＥ１０ｂが契約する移動通信事業者が同じであるとして、同じＩＰ移動通信ネットワーク５に接続するが、異なる移動通信事業者と契約していてもよいものとする。つまり、ＵＥ１０ａとＵＥ１０ｂは、互いに異なるＩＰ移動通信ネットワークに接続していてもよい。その際、異なる通信事業者のＩＰ移動通信ネットワーク同士は接続されていてもよい。より具体的には、それぞれのＩＰネットワークに構成されるＰＧＷ同士が接続されることにより、ＩＰ移動通信ネットワーク動詞を接続していてもよい。
【０１４３】
なお、ＧＲＩＰアドレスは、ある移動通信事業者が運用するＩＰ移動通信ネットワークから、他の移動通信事業者の運用するＩＰ移動通信ネットワークへパケットを配送することを許可したＩＰアドレスであってよい。言い換えると、ＰＧＷは、ＵＥ１０ａから受信したパケットの送信元アドレスがＧＲＩＰアドレスであることにより、異なる移動通信事業者の運用するＩＰ移動通信ネットワークに構成するＰＧＷへパケットを送信し、ＵＥ１０ａから受信したパケットの送信元アドレスが従来ＩＰアドレスなどであり、ＧＲＩＰアドレスでは無い場合には、パケットの送信は行わず、パケットを破棄するなどの処理を実行してもよい。
【０１４４】
このように、ＧＲＩＰアドレスは、異なる移動通信事業者網間の配送を行うアドレスであってもよい。
【０１４５】
もしくは、ＵＥ１０ａとＵＥ１０ｂは単一の通信事業者によって運用されるＩＰ移動通信ネットワークであってもよい。なお、ＧＲＩＰアドレスは、ＩＰ移動通信ネットワークの内部で端末間の送受信するパケットを配送することを許可したＩＰアドレスであってよい。言い換えると、ＰＧＷは、ＵＥ１０ａから受信したパケットの送信元アドレスがＧＲＩＰアドレスであることにより、パケットをＰＤＮへ配送するのでなく、通信相手の端末へ向けて配送してもよい。もしくは、ＩＰ移動通信ネットワークに複数のＰＧＷが含まれて構成されている場合には、ＰＧＷは、ＵＥ１０ａから受信したパケットの送信元アドレスがＧＲＩＰアドレスであることにより、パケットをＵＥ１０ｂがＰＤＮコネクションを確立するＰＧＷへ向けて配送してもよい。なお、ＵＥ１０ａから受信したパケットの送信元アドレスが従来ＩＰアドレスなどであり、ＧＲＩＰアドレスでは無い場合には、パケットの送信は行わず、パケットを破棄するなどの処理を実行してもよい。
【０１４６】
ＵＥ１０ａとＵＥ１０ｂの構成は図３に示す構成と同様でもよく、アプリケーションサーバ２０の構成は図４に示す構成と同様であるとする。なお、複数の移動通信事業者によりそれぞれＩＰ移動通信ネットワークが構成され、さらに、ＩＰ移動通信ネットワークが相互接続されている場合には、アプリケーションサーバは、単一の装置で構成され、すべてのＩＰ移動通信ネットワークに接続されていてもよいし、ＩＰ移動通信ネットワーク毎に複数構成されてもよい。また、ＵＥ１０ａとＵＥ１０ｂは、同様のアプリケーションＩＤを持っているものとする。
【０１４７】
まず、ＵＥ１０ａとＵＥ１０ｂは、それぞれアプリケーションサーバ２０からのアプリケーションの利用の認証処理をする。アプリケーションの利用の認証処理は、図７に示す処理でもよい。
【０１４８】
ＵＥ１０ａはＰＤＮコネクティビティ手続きの際に、ＰＧＷ３０からＧＲＩＰアドレスを図８に示す処理で取得する。
【０１４９】
ＵＥ１０ａは、取得したＧＲＩＰアドレスを通知するための制御メッセージをアプリケーションサーバ２０に送信する。ＵＥ１０ａは、制御メッセージに少なくともＧＲＩＰアドレスとアプリケーションＩＤとを含めて送信してもよい。更にＵＥの識別情報や、ＧＲＩＰアドレスの有効期間を示すタイマーを含めてもよい。
【０１５０】
アプリケーションサーバ２０は、ＵＥ１０ａからＧＲＩＰアドレスの通知するための制御メッセージを受信する。アプリケーションサーバ２０は、ＧＲＩＰアドレス通知信号に含まれるＵＥ１０ａのＧＲＩＰアドレスを取得し、記憶部２４０のＧＲＩＰアドレス２４６に、記憶する。この時、ＧＲＩＰアドレスの有効期間を示すタイマーを対応づけて記憶してもよい。この場合、タイマーのカウントを開始し、タイマーが消費されるまでの時間、ＧＲＩＰアドレスを記憶しておき、タイマーが消費されたことをトリガーとして、ＧＲＩＰアドレスを記憶部２４０から削除してもよい。
【０１５１】
これにより、アプリケーションサーバ２０は、ＵＥ１０ａとＧＲＩＰアドレスとを対応づけて記憶し、ＵＥ１０ａがＧＲＩＰアドレスを取得していることを管理してもよい。
【０１５２】
次に、ＵＥ１０ｂはアプリケーションサーバ２０に記憶されるＵＥ１０ａのＧＲＩＰアドレスを検出し、アプリケーションサーバ２０に、ＵＥ１０ｂが、ＵＥ１０ａのＧＲＩＰアドレスを用いてＵＥ１０ａとＰ２Ｐ通信する事に対する許可を要求する。
【０１５３】
この時、アプリケーションサーバ２０はアプリケーションサーバ２０が、ＵＥ１０ｂに対してＧＲＩＰアドレスを用いたＰ２Ｐ通信の許可を決定してもよい。  または、アプリケーションサーバ２０は、ＵＥ１０ｂからの要求に基づき、ＵＥ１０ａに、ＵＥ１０ｂとＧＲＩＰアドレスを用いたＰ２Ｐ通信の許可を要求してもよい。この時、アプリケーションサーバ２０は、ＵＥ１０ａから、ＵＥ１０ｂのＧＲＩＰアドレスを用いたＰ２Ｐ通信の許可情報を受信してもよい。
【０１５４】
アプリケーションサーバ２０は、ＵＥ１０ｂに、ＧＲＩＰアドレスの許可情報を送信する。
【０１５５】
ＵＥ１０ｂはアプリケーションサーバ２０からＵＥ１０ａにＧＲＩＰアドレスの利用の許可情報を受信し、許可された場合、ＧＲＩＰアドレスを用いてＵＥ１０ａとＰ２Ｐ通信を開始する。
【０１５６】
なお、ＵＥ１０ｂがアプリケーションサーバ２０から、ＧＲＩＰアドレスとともにタイマーを取得した場合、ＵＥ１０ｂは、タイマーのカウントを開始し、タイマーが消費されたら、ＵＥ１０ａとＧＲＩＰアドレスを用いたＩＰ接続による通信を停止してもよい。
【０１５７】
または、ＰＧＷ３０がＵＥ１０ａに、ＧＲＩＰアドレスの利用の停止予定を通知するメッセージを送信してもよい。この場合、ＵＥ１０ａは、受信した通知メッセージをもとに、ＧＲＩＰアドレスの使用を停止し、アプリケーションサーバ２０にＧＲＩＰアドレスが使用できなくなることを通知してもよい。更に、ＵＥ１０ａは、通信相手であるＵＥ１０ｂにも、ＧＲＩＰアドレスの使用を停止することを通知してもよい。または、アプリケーションサーバ２０がＵＥ１０ｂにＧＲＩＰアドレスの使用を停止することを通知してもよい。
【０１５８】
このように、アプリケーションサーバ２０は、ＵＥ１０ａがＧＲＩＰアドレスを取得していることを検出してもよい。さらに、アプリケーションサーバ２０は、ＵＥ１０ａがＧＲＩＰアドレスを用いて通信を行うことができる期間を管理してもよい。
【０１５９】
［１．３．４．トラッキングエリア更新手続き］
次に、ＵＥ１０が移動することに伴う、トラッキングエリア更新手続きについて説明する。以下では、ＧＲＩＰアドレスを用いたアプリケーションの利用が許可されたＵＥが、移動に伴うトラッキングエリア更新手続きにより、ＵＥ１０の位置情報を管理するＭＭＥを変更する場合、ＵＥ１０のＧＲＩＰアドレスの利用に関する許可情報をＭＭＥ間で転送することで、ＵＥのＧＲＩＰアドレスの利用に関する許可の状態を維持する方法について説明する。
【０１６０】
コアネットワーク７には、ＭＭＥ４０とは別に、複数の位置管理装置を構成してもよい。例えば、コアネットワーク７には、ＭＭＥ４０とＭＭＥ−Ａ９０とを構成してもよい。ＭＭＥ−Ａ９０は、ＭＭＥ４０との違いが管理するトラッキングエリアが異なるのみであり、その他の構成はＭＭＥ４０と同一である。そのため、ＭＭＥ−Ａ９０の構成を改めて説明することは省略する。
【０１６１】
ここで、ＭＭＥ４０では、ｅＮＢ４５を含む複数の基地局装置群と接続性を確立し、トラッキングエリアと呼ばれるエリアを構成している。例えば、ＭＭＥ４０は、物理的な位置の近いエリア内に構成する基地局群を管理し、こうしたエリアをトラッキングエリアとして構成することができる。また、トラッキングエリアに対応付けられる基地局群は、物理的に位置が近いかどうかにかかわらず、通信事業者が運用において区別して管理したい基地局を選択して構成するなどして構成することもできる。つまり、ＭＭＥ４０がトラッキングエリアに対応付けて複数の基地局を管理し、トラッキングエリアを構成することができる。
【０１６２】
アイドルモードの状態にあるＵＥ１０がトラッキングエリア更新手続きを実行する場合、ＵＥ１０の移動によってトラッキングエリア更新手続きを実行する前後で異なる基地局に対して接続を行う場合がある。さらに、それぞれの基地局を管理する位置管理装置が異なる場合がある。例えば、ＵＥ１０は、ＭＭＥ４０が管理する基地局装置から、ＭＭＥ−Ａ９０が管理する基地局装置の近隣に移動してトラッキングエリア更新手続きを実行することがある。
【０１６３】
以下では、上記のように異なる位置管理装置のトラッキングエリアへ移動するトラッキングエリア更新手続きを説明する。トラッキングエリアの更新手続きは、ＭＭＥ−Ａ９０が、ＵＥ１０がＭＭＥ４０の管理する基地局からからＭＭＥ−Ａ９０の管理する基地局へ移動したことを検出する手続きである。また、ＵＥ１０にとっては、ＭＭＥ４０の管理するトラッキングエリアからＭＭＥ−Ａ９０の管理するトラッキングエリアへ移動手続きであり、トラッキングエリア更新手続きでは、位置管理装置の再配置（ＭＭＥ−Ｒｅｌｏｃａｔｉｏｎ）を実行する。
【０１６４】
図１０を用いて、位置管理装置の再配置を含むトラッキングエリア更新手続きを説明する。まず、ＵＥ１０が主導して実行するトラッキングエリア更新手続きの初期状態の説明をする。
【０１６５】
ＵＥ１０は、前述した手続きにより、ｅＮＢ４５を介してコアネットワーク７に接続し、ＰＧＷ３０との間にＰＤＮコネクションを確立している。さらに、アプリケーションサーバ２０に登録し、ＧＲＩＰアドレスを取得し、他のＵＥとＧＲＩＰアドレスを用いて、ＩＰ接続を確立している。ＵＥ１０はこうした通信路を用いて送受信を行う。
【０１６６】
さらにＵＥ１０は、ＰＤＮコネクションおよび、ＧＲＩＰアドレスを用いたＩＰ接続を用いたデータ送受信が一定時間以上なく、ＵＥ１０とｅＮＢ４５との間の無線ベアラが解放され、アイドルモードに遷移する。
【０１６７】
ここで、トラッキングエリアの更新手続きを実施する際の初期状態は、これに限らずＵＥ１０がトラッキングエリアを更新する従来の状態を含む任意の状態であってよい。また、ＵＥ１０はアイドルモードの状態であるか否かにかぎらず、アクティブモードにおいてトラッキング更新手続きを実行してもよい。
【０１６８】
また、ＵＥ１０は、移動に伴い、ｅＮＢ４５とは異なる基地局装置であるｅＮＢ−Ａ９５にトラッキングエリア更新要求メッセージを送信してもよい。以下、トラッキング更新手続きの手順を説明する。
【０１６９】
ＵＥ１０はトラッキングエリア更新要求メッセージをｅＮＢ−Ａ９５に送信する（Ｓ１００２）。メッセージには、ＵＥ１０の識別情報、トラッキングエリアを識別する情報、位置管理装置の識別情報、アプリケーション識別情報、アプリケーションユーザ識別情報、アプリケーションの許可情報を含んで送信してもよい。また、ＵＥ１０がＰｒｏＳｅ使用可能なＵＥである場合、ＵＥ１０の識別情報としてＰｒｏＳｅ  ＩＤを用いてよい。さらに、ＰｒｏＳｅ能力情報を含めてもよい。ＰｒｏＳｅ能力情報としては、近隣のＵＥとの間の直接通信路を確立することができることを示すＰｒｏＳｅサービスを享受できることを示す能力情報であってよい。または、ＰｒｏＳｅサービスを享受し、近隣端末との間で直接通信路を確立していることを示す情報であってもよいまた、これらの情報を異なる識別情報としてそれぞれ異なる識別情報としてメッセージに含めてもよい。
【０１７０】
また、位置管理装置を識別する情報は、これまでＵＥ１０の位置管理を実行していたＭＭＥ４０を識別する情報を含めてもよい。メッセージに含める情報には、これらに限らず従来のトラッキングエリア更新要求メッセージに含まれる情報と併せて含めてもよい。
【０１７１】
アプリケーション識別情報は、ＵＥ１０が他のＵＥとの間に通信路を確立する際に使用するアプリケーションを識別する識別情報である。
【０１７２】
アプリケーションユーザ識別情報は、アプリケーション識別情報で識別されるアプリケーションにおいてユーザもしくはＵＥ１０を識別する識別情報であってよい。
【０１７３】
さらに、ＵＥを識別する情報は、ＩＭＳＩなどの加入者識別情報であってもよいし、ＴＥＩＤなどの一時的に割り当てられた識別情報であってもよいし、アプリケーションユーザ識別情報などであってもよい。
【０１７４】
アプリケーションの許可情報は、ＵＥ１０がアプリケーション識別情報で示されるアプリケーションを用いた通信をアプリケーションサーバ２０に許可されているかを示す識別情報であり、アプリケーション識別情報を用いてもよい。
【０１７５】
ＵＥ１０がトラッキングエリア更新要求メッセージを送信するトリガーは、アイドルモードの状態にあるＵＥ１０が、アイドルモードに遷移したタイミングから実行するタイマーに基づいて、送信タイミングを決定してもよい。また、トラッキングエリア更新要求メッセージを送信する間隔を決定するタイマーは、ＵＥ１０が予め保持しておき、タイマーの値を決定してもよい。
【０１７６】
ｅＮＢ−Ａ９５は、トラッキングエリア更新要求メッセージを受信する。ｅＮＢ−Ａ９５はＭＭＥ−Ａ９０と接続性のある基地局装置であり、ＭＭＥ−Ａ９０によって管理されるトラッキングエリアに属する基地局装置であってよい。言い換えると、ｅＮＢ−Ａ９５はＭＭＥ−Ａ９０が管理する基地局装置であり、ＭＭＥ−Ａ９０が構成するトラッキングエリアに属する基地局装置である。ここで、ｅＮＢ−Ａ９５は、ＬＴＥ  ＡＮ８０に構成されるｅＮＢ４５とは異なる基地局装置であってよい。また、ｅＮＢ−Ａ９５の属するトラッキングエリアとｅＮＢ４５の属するトラッキングエリアは異なるトラッキングエリアであってよい。さらに、それぞれのトラッキングエリアはＭＭＥ４０によって管理されるトラッキングエリアであってもよいし、ｅＮＢ−Ａ９５の属するトラッキングエリアはＭＭＥ−Ａ９０によって管理され、ｅＮＢ４５の属するトラッキングエリアはＭＭＥ４０によって管理されるなど、異なる位置管理装置によって管理されてもよい。また、ｅＮＢ−Ａ９５の構成は既に説明したｅＮＢ４５の構成と同様であって良いためここでの詳細説明は省略する。
【０１７７】
ここで、ＵＥ１０は定期的にトラッキングエリア更新手続きを実行しており、前回実行したトラッキング更新手続きでは、ＵＥ１０はｅＮＢ４５に対してトラッキングエリア更新要求メッセージを送信してトラッキングエリア更新手続きを実行していてもよい。
【０１７８】
ｅＮＢ４５はＭＭＥ４０と接続性のある基地局装置であり、ＭＭＥ４０によって管理されるトラッキングエリアに属する基地局装置であってよい。言い換えると、ｅＮＢ４５はＭＭＥ４０が管理する基地局装置であり、ＭＭＥ４０が構成するトラッキングエリアに属する基地局装置である。
【０１７９】
つまり、ＵＥ１０は本トラッキングエリア更新によって、以前にトラッキングエリア更新要求メッセージを送信した基地局とは異なる基地局装置に対してトラッキングエリア更新要求メッセージを送信する。さらに、トラッキングエリア更新要求メッセージを受信した基地局は、以前の基地局とは異なる位置管理装置によって管理された基地局である。
【０１８０】
ｅＮＢ−Ａ９５は、ＵＥ１０からのトラッキングエリア更新要求の受信に基づいて、ＭＭＥ−Ａ９０にトラッキングエリア更新要求を送信してもよい（Ｓ１００４）。メッセージには、ＵＥ１０の識別情報、トラッキングエリアを識別する情報、位置管理装置の識別情報、ｅＮＢ−Ａ９５を識別する基地局識別情報、アプリケーション識別情報、アプリケーションユーザ識別情報、を含んで送信してもよい。
【０１８１】
また、ＵＥ１０がＰｒｏＳｅ使用可能なＵＥである場合、ＵＥ１０の識別情報としてＰｒｏＳｅ  ＩＤを用いてよい。さらに、メッセージにＰｒｏＳｅ能力情報を含めてもよい。
【０１８２】
ＰｒｏＳｅ能力情報としては、近隣のＵＥとの間の直接通信路を確立することができることを示すＰｒｏＳｅサービスを享受できることを示す能力情報であってよい。または、ＰｒｏＳｅサービスを享受し、近隣端末との間で直接通信路を確立していることを示す情報であってもよいまた、これらの情報を異なる識別情報としてそれぞれ異なる識別情報としてメッセージに含めてもよい。
【０１８３】
また、位置管理装置を識別する情報は、これまでＵＥ１０の位置管理を実行していたＭＭＥ４０を識別する情報を含めてもよい。メッセージに含める情報には、これらに限らず従来のトラッキングエリア更新要求メッセージに含まれる情報と併せて含めてもよい。
【０１８４】
アプリケーション識別情報は、ＵＥ１０が他のＵＥとの間に通信路を確立するサービスにおいて使用するアプリケーションを識別する識別情報である。
【０１８５】
アプリケーションユーザ識別情報は、アプリケーション識別情報で識別されるアプリケーションにおいてユーザもしくはＵＥ１０を識別する識別情報であってよい。
【０１８６】
ＰｒｏＳｅコードは、近隣に位置する他のＵＥに対して自身が近隣に位置することをアナウンスする際に送信する情報であってよい。さらに、近隣に位置する他のＵＥが近隣に位置することをモニタリングする際に受信する情報であってよい。ＰｒｏＳｅコードは、アプリケーション識別情報や、ＵＥを識別する情報や、ＰＬＭＮなどのオペレータネットワークを識別する識別情報を組み合わせて構成してもよい。さらに、ＵＥを識別する情報は、ＩＭＳＩなどの加入者識別情報であってもよいし、ＴＥＩＤなどの一時的に割り当てられた識別情報であってもよいし、アプリケーションユーザ識別情報などであってもよい。
【０１８７】
ＭＭＥ−Ａ９０は、ｅＮＢ−Ａ９５から送信されるトラッキングエリア更新要求メッセージの受信に基づいて、コンテキスト要求メッセージをＭＭＥ４０に送信してもよい（Ｓ１００６）。ＭＭＥ−Ａ９０は、こうしたコンテキスト供給メッセージの送信により、位置管理装置の再配置（ＭＭＥ−Ｒｅｌｏｃａｔｉｏｎ）を主導して実行してもよい。
【０１８８】
ＭＭＥ−Ａ９０は、受信したトラッキングエリア更新要求メッセージに含まれる情報に基づいてコンテキスト要求メッセージを送信する位置管理装置を選択してもよい。例えば、トラッキングエリア情報と位置管理装置とを関連づけて予め管理しておき、受信したトラッキングエリア情報に対応付けられる位置管理装置を選択し、ＭＭＥ４０にメッセージを送信することを決定してもよい。また、ｅＮＢ−Ａ９５から受信したトラッキングエリア更新要求メッセージに含まれる位置管理装置を識別する情報から、位置管理装置を選択し、ＭＭＥ４０にコンテキスト要求メッセージを送信してもよい。
【０１８９】
コンテキスト要求メッセージには、ＵＥ１０の識別情報、トラッキングエリアを識別する情報、位置管理装置の識別情報、ｅＮＢ−Ａ９５を識別する基地局識別情報、アプリケーション識別情報、アプリケーションユーザ識別情報、を含んで送信してもよい。
【０１９０】
また、ＵＥ１０がＰｒｏＳｅ使用可能なＵＥである場合、ＵＥ１０の識別情報としてＰｒｏＳｅ  ＩＤを用いてよい。さらに、メッセージにＰｒｏＳｅ能力情報を含めてもよい。ＰｒｏＳｅ能力情報としては、近隣のＵＥとの間の直接通信路を確立することができることを示すＰｒｏＳｅサービスを享受できることを示す能力情報であってよい。または、ＰｒｏＳｅサービスを享受し、近隣端末との間で直接通信路を確立していることを示す情報であってもよいまた、これらの情報を異なる識別情報としてそれぞれ異なる識別情報としてメッセージに含めてもよい。
【０１９１】
また、位置管理装置を識別する情報は、これまでＵＥ１０の位置管理を実行していたＭＭＥ４０を識別する情報を含めてもよい。さらに、ＭＭＥ−Ａ９０を識別する情報を含めてもよい。メッセージに含める情報には、これらに限らず従来のコンテキスト要求メッセージに含まれる情報と併せて含めてもよい。
【０１９２】
アプリケーション識別情報は、ＵＥ１０が他のＵＥとの間に通信路を確立するために使用するアプリケーションを識別する識別情報である。
【０１９３】
アプリケーションユーザ識別情報は、アプリケーション識別情報で識別されるアプリケーションにおいてユーザもしくはＵＥ１０を識別する識別情報であってよい。
【０１９４】
さらに、メッセージには、ＵＥ１０が登録するアプリケーションサーバ２０の識別情報を要求するフラグを含めてもよい。
【０１９５】
ＭＭＥ４０は、コンテキスト要求メッセージの受信に基づいて、コンテキスト応答メッセージをＭＭＥ−Ａ９０に送信してもよい（Ｓ１００８）。
【０１９６】
ＭＭＥ４０は、ＵＥ１０に関連付けて管理する許可情報３４２を管理し、メッセージには、許可情報３４２を含めて送信してもよい。
【０１９７】
ここで、ＭＭＥ４０は、コンテキスト要求メッセージに含まれるＵＥ１０の識別情報に基づいて、ＵＥ１０に対応付けて管理する許可情報３４２を選択して含めてもよい。これにより、ＭＭＥ４０はＭＭＥ−Ａ９０に、ＵＥ１０がＧＲＩＰアドレスの利用したサービスの利用を許可されていることを示す許可情報と、ＵＥ１０のＧＲＩＰアドレスと、ＵＥ１０に関する情報を通知してもよい。このように、ＭＭＥ４０はＭＭＥ−Ａ９０にＵＥ１０はＧＲＩＰの利用が許可されていることや、ＵＥ１０はＧＲＩＰを現在取得していることを通知してもよい。
【０１９８】
また、ＭＭＥ４０は、アプリケーションサーバ２０の識別情報を含めてコンテキスト応答を送信してもよい。
【０１９９】
さらに、アプリケーションサーバ２０を識別する情報をコンテキスト応答メッセージに含めるか否かは、コンテキスト要求メッセージに含まれるアプリケーションサーバ２０の識別情報を要求するフラグの有無によって決定してもよい。
【０２００】
例えば、アプリケーションサーバ２０の識別情報を要求するフラグが含まれるコンテキスト要求メッセージを受信した場合には、ＭＭＥ−Ａ９０が保持するＵＥ１０に対応付けて管理するアプリケーションサーバ２０の識別情報を含めてメッセージを送信する。
【０２０１】
また、コンテキスト要求メッセージにアプリケーションサーバ２０の識別情報を要求するフラグが含まれていない場合には、アプリケーションサーバ２０の識別情報を含まずにメッセージを送信する。
【０２０２】
また、ＵＥ１０に対してアプリケーションサーバ２０の識別情報を管理していない場合いは、アプリケーションサーバ２０の識別情報を含まずにコンテキスト応答を送信してもよい。
【０２０３】
さらに、アプリケーションサーバ２０の識別する情報を含めるか否かは、コンテキスト要求メッセージに含まれるアプリケーション識別情報もしくはアプリケーションユーザ識別情報の有無によって決定してもよい。
【０２０４】
例えば、アプリケーション識別情報もしくはアプリケーションユーザ識別情報が含まれるコンテキスト要求メッセージを受信した場合には、ＭＭＥ−Ａ９０が保持するＵＥ１０に対応付けて管理するアプリケーションサーバ２０の識別情報を含めてメッセージを送信する。
【０２０５】
また、コンテキスト要求メッセージにアプリケーション識別情報もしくはアプリケーションユーザ識別情報もしくはＰｒｏＳｅコードが含まれていない場合には、アプリケーションサーバ２０の識別情報を含めてメッセージを含まずにメッセージを送信する。
【０２０６】
また、ＵＥ１０に対してアプリケーションサーバ２０の識別情報を管理していない場合いは、アプリケーションサーバ２０の識別情報を含まずにコンテキスト応答を送信してもよい。
【０２０７】
ＭＭＥ４０は、アプリケーションサーバ２０の識別情報を要求するフラグや、ＰｒｏＳｅサービスを享受できることを示す能力情報もしくは近隣端末との間で直接通信路を確立していることを示す情報のいずれかがに基づいてアプリケーションサーバ２０の識別情報を含めて送信してもよいし、これらの情報が複数含まれているなど、これらの情報の組み合わせて含めることを決定し、アプリケーションサーバ２０の識別情報を含めて送信してもよい。
【０２０８】
ＭＭＥ−Ａ９０は、ＭＭＥ４０からコンテキスト応答を受信する。ＭＭＥ−Ａ９０は、コンテキスト応答にアプリケーションサーバ２０の識別情報が含まれている場合には、アプリケーションサーバ２０の識別情報を許可情報３４２に記憶する。また、記憶するデータベースは、許可情報３４２に限らず、ＭＭコンテキストなどのデータベースであってもよい。また、アプリケーションサーバ２０の識別情報は、ＵＥ１０の識別情報と対応づけて記憶しても良い。
【０２０９】
ＭＭＥ−Ａ９０は、コンテキスト応答メッセージの受信に基づいて、ＵＥのコンテキストを記憶する。
【０２１０】
ここで、ＭＭＥ−Ａ９０は、ＧＲＩＰアドレスの利用可否の判定処理をおこなってもよい。以下、判定処理を説明する。
【０２１１】
また、ＭＭＥ−Ａ９０はメッセージから、ＵＥのＧＲＩＰアドレスの使用の許可情報と、ＵＥ１０のＧＲＩＰアドレスを取得し、記憶部に記憶してもよい。また、ＭＭＥ−Ａ９０が、ＧＲＩＰアドレスの使用に関して、オペレータポリシーなどのポリシーを記憶している場合、ポリシーに基づき、ＵＥのＧＲＩＰアドレスの使用の許可情報を記憶してもよい。
【０２１２】
具体的には、ＭＭＥ−Ａ９０が記憶するオペレータポリシーが、ＭＭＥ−Ａ９０のサービスエリアにあるＵＥが、ＧＲＩＰアドレスを用いたアプリケーションを利用することを禁止している場合、ＭＭＥ−Ａ９０がＭＭＥ４０からＵＥのＧＲＩＰアドレスの使用の許可情報を取得しても、オペレータポリシーに従い、ＵＥのＧＲＩＰアドレスの使用の許可情報を記憶しなくてもよい。
【０２１３】
このように、ＭＭＥ−Ａ９０は、トラッキングエリア更新手続きに伴い、ＭＭＥが接続する基地局に接続する端末装置に対して、ＧＲＩＰの利用を許可したり、不許可としたりすることができる。なお、端末装置に対してＧＲＩＰの利用を許さない場合、ＭＭＥ−Ａ９０は受信したトラッキングエリア更新要求に対して応答メッセージをＵＥ１０に送信してもよい。なお、ＭＭＥ−Ａ９０は、応答メッセージの送信によりトラッキングエリアの更新が失敗したことや、ＧＲＩＰの利用を許可しないことを通知してもよい。ここで、ＭＭＥ−Ａ９０は、トラッキングエリア更新アクセプトメッセージを応答メッセージとして送信し、メッセージにこれらの通知情報を示す情報を含めて送信してもよい。
【０２１４】
さらに、応答メッセージには、ＧＲＩＰアドレスを用いた通信を実行するＰＤＮコネクションや、ＧＲＩＰアドレスを取得した際に確立したＰＤＮコネクションなど、ＧＲＩＰアドレスを利用して実行するアプリケーションに対応づけたＰＤＮコネクションを削除することを要求する情報を含めて送信してもよい。
【０２１５】
なお、この際、ＭＭＥ−Ａ９０は、ＳＧＷ３５にベアラ更新要求メッセージを送信はしなくてもよい。
【０２１６】
さらに、ＵＥ１０は応答メッセージを受信し、応答メッセージに含まれる情報に基づいて、ＰＤＮコネクションを削除してもよい。ＵＥ１０は、ＰＤＮコネクションの削除を実行する際、応答メッセージに基づいて、ＧＲＩＰアドレスを用いた通信を実行するＰＤＮコネクションや、ＧＲＩＰアドレスを取得した際に確立したＰＤＮコネクションなど、ＧＲＩＰアドレスを利用して実行するアプリケーションに対応づけたＰＤＮコネクションを選択して削除を実行してもよい。なお、具体的には、ＵＥ１０はＰＤＮ削除要求メッセージをＭＭＥ−Ａ９０に送信して開始するＰＤＮ削除手続きを実行することによい、ＰＤＮコネクションを削除してもよい。
【０２１７】
ＰＤＮコネクションの削除の方法は、これに限らず、他の方法であってもよい。例えば、ＭＭＥ−Ａ９０は、トラッキングエリア更新手続きに伴い、ＭＭＥが接続する基地局に接続する端末装置に対してＧＲＩＰの利用を許さない場合、ＭＭＥ−Ａ９０が主導してこうしたＰＤＮコネクションを削除してもよい。なお、具体的には、ＭＭＥ−Ａ９０はセッション削除要求メッセージをＳＧＷ３５に送信して開始するＰＤＮ削除手続きを実行することによい、ＰＤＮコネクションを削除してもよい。
【０２１８】
以上のように、ＭＭＥ−Ａ９０はＧＲＩＰアドレスの利用可否の判定処理を実行してもよい。このように、ＭＭＥ−Ａ９０は、判定処理に基づいてＭＭＥ−Ａ９０が接続する基地局に接続するＵＥのＧＲＩＰアドレスの利用を制限することができる。そのため、ＭＥＭ−Ａ９０に接続する複数の基地局で構成されるエリアなど、エリア単位でＧＲＩＰアドレスの利用の可否を制御することができる。
【０２１９】
次に、判定処理に基づいてＭＥ−Ａ９０は、トラッキングエリア更新手続きに伴い、ＭＭＥが接続する基地局に接続する端末装置に対して、ＧＲＩＰの利用を許可した場合や、判定処理自体を実行しないなどの場合の手続きを、図１０を基に引き続き説明する。
【０２２０】
ＭＭＥ−Ａ９０は、コンテキストＡＣＫをＭＭＥ４０に送信し、位置管理装置の再配置（ＭＭＥ−Ｒｅｌｏｃａｔｉｏｎ）を完了する（Ｓ１０１０）。
【０２２１】
さらに、ＭＭＥ−Ａ９０は、ベアラ更新要求メッセージをＳＧＷ３５に送信してもよい（Ｓ１０１２）。これにより、ＭＭＥ−Ａ９０、ＵＥ１０がＰＧＷ３０との間に確立するＰＤＮコネクションのＱｏＳ情報を更新することを要求してもよい。また、ＰＤＮコネクションに対応付けられるベアラのＱｏＳ情報の更新を要求してもよい。または、ＵＥ１０が確立している他のＵＥとの間のＩＰ接続のＱｏＳ情報の更新を要求してもよい。
【０２２２】
メッセージには、ＰＤＮコネクションの識別情報、または他のＵＥとの間に確立しているＩＰ接続などの通信路の識別情報を含んで送信してもよい。さらには、通信路に対応するＱｏＳ情報を含んで送信してもよい。
【０２２３】
ＳＧＷ３５は、ベアラ要求メッセージを受信し、ベアラ要求メッセージの受信に基づいて、ＳＧＷ３５とＰＧＷ３０はベアラ更新手続きを実行する（Ｓ１０１４）。ベアラ更新手続きでは、ＵＥ１０がＰＧＷ３０との間に確立するＰＤＮコネクションのＱｏＳ情報を更新してもよい。また、ＰＤＮコネクションに対応付けられるベアラのＱｏＳ情報の更新を要求してもよい。または、ＵＥ１０が確立している他のＵＥとの間のＩＰ接続の通信路のＱｏＳ情報を更新してもよい。
【０２２４】
ＳＧＷ３５とＰＧＷ３０のベアラ更新手続きの完了後、ＳＧＷ３５はベアラ更新応答メッセージをＭＭＥ−Ａ９０に送信する（Ｓ１０１６）。
【０２２５】
ＭＭＥ−Ａ９０は、ベアラ更新応答メッセージの受信に基づいて、トラッキングエリア更新アクセプトメッセージをＵＥ１０に送信する（Ｓ１０１８）。ＭＭＥ−Ａ９０はトラッキングエリア更新アクセプトメッセージを送信することにより、ＵＥ１０が要求するトラッキングエリアの更新の要求に対してトラッキングエリアを更新したことを通知してもよい。
【０２２６】
メッセージには、ＵＥ１０とＰＧＷ３０との間で確立しているＰＤＮコネクションの更新されたＱｏＳ情報を含んで送信してもよい。さらに、ＭＭＥ−Ａ９０は、メッセージに、ＴＦＴやＡＰＮなどアプリケーションを識別することができる情報を含めて送信してもよい。また、ＭＭＥ−Ａ９０は、メッセージにこれら両方の識別情報を含めて送信してもよい。
【０２２７】
さらに、ＵＥ１０と他のＵＥとの間で確立しているＩＰ接続の通信路の更新されたＱｏＳ情報を含んで送信してもよい。
【０２２８】
さらに、これらの通信路の無線ベアラに関する情報を含めてもよい。例えば、周波数や、送信タイミングなど時間情報など、通信路の無線リソースに関する情報を含めて送信してもよい。無線リソースに関する情報は、ＭＭＥ−Ａ９０が改めて割り当てを行い、メッセージに含めて通知してもよいし、ＳＧＷ３５からベアラ更新応答メッセージに含まれる情報から取得し、ＵＥ１０に通知してもよい。
【０２２９】
さらに、トラッキングエリア更新アクセプトメッセージにはＭＭＥ−Ａ９０の識別情報を含めて送信してもよい。このように、ＭＭＥ−Ａ９０は、ＭＭＥ−Ａ９０の識別情報を含めてメッセージをＵＥ１０に送信することにより、位置管理装置が再配置（ＭＭＥ−Ｒｅｌｏｃａｔｉｏｎ）されたことを通知してもよい。
【０２３０】
ＵＥ１０は、ＭＭＥ−Ａ９０からトラッキングエリア更新アクセプトを受信し、受信に基づいてトラッキングエリア更新完了メッセージをＭＭＥ−Ａ９０に送信してもよい。これにとものない、ＵＥ１０は位置管理装置の再配置（ＭＭＥ−Ｒｅｌｏｃａｔｉｏｎ）を伴うトラッキングエリアの更新手続きを完了する。
【０２３１】
さらに、ＵＥ１０は、トラッキングエリア更新アクセプトに含まれる情報に基づいて、無線ベアラに関する情報を更新してもよい。例えば、周波数や、送信タイミングなど時間情報など、通信路の無線リソースに関する情報を更新してもよい。無線リソースに関する情報は、ＰＧＷ３０との間のＰＤＮコネクションに関する情報を更新してもよい。
【０２３２】
以上の手続きにより、ＵＥ１０はアイドルモードの状態において、位置管理装置の再配置（ＭＭＥ−Ｒｅｌｏｃａｔｉｏｎ）を伴うトラッキングエリアの更新を行うことができる。
【０２３３】
また、上述した手続きでは、こうしたＵＥ１０のアイドルモードにおける移動に伴い、位置管理装置が再配置されたとしても移動先の基地局を管理する位置管理装置であるＭＭＥ−Ａ９０が、移動前のＭＭＥ４０が保持するアプリケーション情報を取得することができるため、アプリケーションサーバ２０は変更されることがなく、ＵＥ１０は他のＵＥなどとのＧＲＩＰアドレスを用いたデータの送受信は維持することができる。
【０２３４】
また、ＵＥ１０は、トラッキングエリア更新要求には、ＭＭＥ−Ａ９０がアプリケーションサーバ２０の識別情報を取得することを要求する要求情報を含めて送信してもよい。
【０２３５】
この要求情報は、ＭＭＥ−Ａ９０がアプリケーションサーバ２０の識別情報を取得する必要があることを検出できればよく、アプリケーションサーバの識別情報を取得することを要求するフラグ等であってもよい。
【０２３６】
さらに、ｅＮＢ−Ａ９５は、ＭＭＥ−Ａ９０がアプリケーションサーバ２０の識別情報を取得することを要求する要求情報が含められたトラッキングエリア更新要求メッセージを受信し、トラッキングエリア更新要求メッセージをＭＭＥ−Ａ９０に送信してもよい。
【０２３７】
ＭＭＥ−Ａ９０へ送信するトラッキングエリア更新要求メッセージには、ＵＥ１０から受信したトラッキングエリア更新要求メッセージにアプリケーションサーバ２０の識別情報を取得することを要求する要求情報が含まれているか否かに基づいて、受信した要求情報を含めて送信してもよい。
【０２３８】
また、ＭＭＥ−Ａ９０は、受信したトラッキングエリア更新要求メッセージにＭＭＥ−Ａ９０がアプリケーションサーバ２０の識別情報を取得することを要求する要求情報が含まれているか否かに基づいて、ＭＭＥ４０に送信するコンテキスト要求メッセージにＵＥ１０にＧＲＩＰアドレスを用いた通信を許可するアプリケーションサーバ２０の識別情報を要求するフラグを含めてもよい。
【０２３９】
例えば、ＭＭＥ−Ａ９０は、受信したトラッキングエリア更新要求メッセージにＭＭＥ−Ａ９０がアプリケーションサーバ２０の識別情報を取得することを要求する要求情報が含まれている場合いには、ＵＥ１０にＧＲＩＰアドレスを用いた通信を許可するアプリケーションサーバ２０の識別情報を要求するフラグを含めてコンテキスト要求メッセージをＭＭＥ４０に送信する。
【０２４０】
また、受信したトラッキングエリア更新要求メッセージにＭＭＥ−Ａ９０がアプリケーションサーバ２０の識別情報を取得することを要求する要求情報が含まれていない場合には、ＵＥ１０にＧＲＩＰアドレスを用いた通信を許可するアプリケーションサーバ２０の識別情報を要求するフラグを含めずにコンテキスト要求メッセージをＭＭＥ４０に送信する。
【０２４１】
これにより、ＭＭＥ−Ａ９０は、ＭＭＥ４０からアプリケーションサーバ２０の識別情報を受信し、ＰｒｏＳｅサーバに対してＵＥ−Ｒ１５の位置管理を行う位置管理装置が更新されたことを通知してもよい。
【０２４２】
［１．４．変形例］
次に、変形例として、ＰｒｏＳｅ通信において、ＧＲＩＰアドレスを利用する場合の、ＧＲＩＰアドレスの取得方法について説明する。ただし本変形例では、ＵＥ１０はＰｒｏＳｅを利用できるＵＥであるとする。
【０２４３】
［１．４．１．ＰｒｏＳｅアプリケーションサーバへの登録手続き］
ＵＥ１０は、ＰｒｏＳｅサービスとして提供される近隣端末検出（ＰｒｏＳｅ  Ｄｉｒｅｃｔ  Ｄｉｓｃｏｖｅｒｙ）や直接通信路を用いた通信（ＰｒｏＳｅ  Ｄｉｒｅｃｔ  Ｃｏｍｍｕｎｉｃａｔｉｏｎ）に対する認証手続きを実施する。認証手続きは、近隣端末検出と、直接通信路を用いた通信のそれぞれを異なる手続きで認証してもよいし、一つの認証手続きで認証してもよい。
【０２４４】
以下、図１１を用いて本実施形態における認証手続きを説明する。
【０２４５】
まず、ＵＥ１０はアタッチ手続きを実行し、コアネットワークに接続する（Ｓ７０２）。結果、ＵＥ１０はＰＧＷ３０との間にＰＤＮコネクションを確立する。ＰＤＮコネクションはＰＤＮ９との間でデータを送受信するための通信路である。アタッチ手続きはＵＥ１０の電源投入時など、初期手続きとして実行されて良い。
【０２４６】
より具体的にはアタッチ手続きは、ＵＥ１０がＭＭＥ４０にアタッチ要求を送信して開始する。ＵＥ１０は、アタッチ要求に、ＡＰＮと、ＩＭＳＩなどのＵＥの識別情報と、を含めて送信してもよい。ＡＰＮはアタッチ要求メッセージに必ずしも含まれる必要はなく、アタッチ手続き内の制御メッセージによってＵＥ１０からＭＭＥ４０に通知されてもよい。
【０２４７】
ＭＭＥ４０は、受信したＡＰＮに基づいてＰＧＷ３０を選択し、ＵＥ１０に対するＰＤＮコネクションの端点を決定する。さらに、ＰＤＮコネクションの確立や、コアネットワークへの接続を許可し、アタッチ要求メッセージに対する応答となるアタッチ許可メッセージをＵＥ１０に送信する。なお、アタッチ許可メッセージは、ＭＭＥ４０から直接ＵＥ１０に送信されてもよいし、ＬＴＥ  ＡＮ８０に含まれるｅＮＢ４５を介して送信されてもよい。
【０２４８】
また、ＭＭＥ４０は、アタッチ許可メッセージの送信により、ＵＥ１０がコアネットワーク接続を許可されたこと通知してもよい。また、ＭＭＥ４０は、アタッチ許可メッセージの送信により、ＰＤＮコネクションを確立したことを通知してもよい。さらに、アタッチ許可メッセージには、ＰＤＮコネクションに対応づけられたＩＰアドレスや、ＡＰＮを含めて送信してもよい。
【０２４９】
また、ＭＭＥ４０は、アタッチ許可メッセージにＰｒｏＳｅ  ＵＥ  ＩＤを含めて送信してもよい。例えば、ＭＭＥ４０は、ＵＥ１０がアタッチ手続きにおいて送信するＡＰＮが、ＰｒｏＳｅサービスに関連付けられたＡＰＮであることを識別したことを基に、アタッチ許可メッセージＰｒｏＳｅ  ＵＥ  ＩＤを含めて送信してもよい。ＭＭＥ４０は、この際、ＵＥ＿Ａ８に対してＰｒｏＳｅ  ＵＥ  ＩＤ割り当てを行っても良い。また、ＨＳＳ５０から取得しても良い。この場合には、ＨＳＳ５０などが加入者情報に予めＰｒｏＳｅ  ＵＥ  ＩＤを記憶しておくなどしてよい。
【０２５０】
次に、ＵＥ１０はＰｒｏＳｅ登録要求メッセージをＰｒｏＳｅサーバに送信する（Ｓ７０６）。このとき、ＰｒｏＳｅサーバは、ＰｒｏＳｅ機能をもつＵＥ間の通信を管理するサーバ装置であり、ＰｒｏＳｅサービスなどの提供に際し認証を行う。なお、ＰｒｏＳｅサーバは、ＰＤＮ９に含まれて構成されてもよいし、ＰＤＮ９と独立していても良い。
【０２５１】
ＵＥ１０は、ＰｒｏＳｅ登録要求メッセージを送信することにより、近隣端末検出と、直接通信路を用いた通信の許可を要求してもよい。また、近隣端末検出と、直接通信路を用いた通信の許可とをそれぞれ識別する情報を含めて送信し、これらを個別に許可を求めてもよい。
【０２５２】
また、ＰｒｏＳｅ登録要求の送信には、アタッチ手続きで確立したＰＤＮコネクションを用いて送信してもよい。さらに、アタッチ手続きで取得したＩＰアドレスを送信元アドレスとしてＰｒｏＳｅ登録要求メッセージを送信してもよい。
【０２５３】
また、ＰｒｏＳｅ登録要求メッセージの送信先のＰｒｏＳｅサーバは、契約する通信事業者であるＨｏｍｅ  ＰＬＭＮに対応づけられたＰｒｏＳｅサーバの情報を予め保持しておき、送信先として用いても良い。
【０２５４】
もしくは、ＰｒｏＳｅサービスを提供可能な通信事業者のリストをローカルＰＬＭＮとして保持しておき、さらに、ローカルＰＬＭＮに対応づけられたＰｒｏＳｅサーバ７を保持しておくことで、送信先として用いても良い。
【０２５５】
ローカルＰＬＭＮは、Ｈｏｍｅ  ＰＬＭＮとの契約関係などで決定される任意の通信事業者でもよいし、Ｈｏｍｅ  ＰＬＭＮと同一の国で運用する通信事業者であっても良い。
【０２５６】
このように、ＵＥ１０はＰＬＭＮを識別するＰＬＭＮ  ＩＤとＰｒｏＳｅサーバとを対応づけて保持しておき、送信先として用いて認証を要求しても良い。
【０２５７】
また、ＰＬＭＮ  ＩＤとＰｒｏＳｅサーバの情報は、ＨｏｍｅＰＬＭＮから取得しても良い。例えば、Ｈｏｍe  ＰＬＭＮのＰｒｏＳｅサーバに問い合わせを行い、問い合わせに対する応答により取得し、保持しても良い。
【０２５８】
ＰｒｏＳｅサーバは、ＰｒｏＳｅ登録要求を受信し、近隣端末の検出および直接通信路を用いた通信の認証を実行し、ＰｒｏＳｅ登録応答を送信しても良い（Ｓ７０８）。
【０２５９】
ＰｒｏＳｅサーバは、ＰｒｏＳｅ登録応答に、認証結果を含めて送信してもよい。さらに、ＰｒｏＳｅサーバは、メッセージに、ＴＦＴやＡＰＮなどアプリケーションを識別することができる識別情報を含めて送信してもよい。
【０２６０】
ＰｒｏＳｅサーバはＵＥ１０に対応づけて認証するための情報を保持しておき、その情報に基づいて認証結果を可とするか不可とするか決定しても良い。
【０２６１】
また、ＰｒｏＳｅサーバはＰｒｏＳｅ登録要求の受信に基づいてＰｒｏＳｅ  ＵＥ  ＩＤの割り当てを実行しても良い（Ｓ７０７）。さらに、ＰｒｏＳｅ  ＵＥ  ＩＤをＰｒｏＳｅ登録応答に含めてＵＥ１０へ送信してもよい。ＰｒｏＳｅ  ＵＥ  ＩＤは、ＵＥ１０に対応づけられたＩＤであってよく、ＵＥ１０は、近隣端末の検出や、近隣端末へ自身を通知する場合に端末を識別する情報として用いても良い。より具体的には、ＵＥ１０は、ＰｒｏＳｅ  ＵＥ  ＩＤをアナウンス信号に含めて送信してもよい。
【０２６２】
ＵＥ１０は、ＰｒｏＳｅ登録応答を受信し、認証結果を取得する。また、ＰｒｏＳｅ登録応答に含まれるＰｒｏＳｅ  ＵＥ  ＩＤを取得し、保持しても良い。以上により、ＵＥ１０はＰｒｏＳｅサーバに認証されてもよい。
【０２６３】
これにより、ＵＥ１０はＰＤＮコネクティビティ手続き（Ｓ７１０）を開始する。
【０２６４】
［１．４．２．ＰＤＮコネクティビティ手続き］
ＰＤＮコネクティビティ手続きによるＧＲＩＰアドレスの取得手続きは、図８のＰＤＮコネクティビティ手続きと等しくてもよい。ここでは、詳細な説明は省略する。ＰＤＮコネクティビティ手続きにより、ＵＥ１０はＧＲＩＰアドレスを取得し、ＧＲＩＰアドレスと、アプリケーションＩＤと関連付けて記憶することができる。
【０２６５】
［１．４．３．ＰｒｏＳｅアナウンス手続き］
図１２を用いて、ＧＲＩＰアドレスを用いたＰｒｏＳｅのアナウンス手続きについて説明する。ＧＲＩＰアドレスを取得し、アプリケーションＩＤとＧＲＩＰアドレスを対応づけたＵＥ１０は、ＰｒｏＳｅサーバとセキュアな接続を確立し、ディスカバリー要求をＰｒｏＳｅサーバに送信する（Ｓ８０４）。
【０２６６】
ディスカバリー要求には、ＰｒｏＳｅアプリケーションＩＤと、ＩＭＳＩやＭＳＩＳＤＮなどのＵＥの識別子と、アナウンスをすることの要求を示すコマンドと、アプリケーションＩＤとを含めてもよい。
【０２６７】
ＰｒｏＳｅアプリケーションＩＤとは、ＰｒｏＳｅを使用することができる端末を識別するための識別子である。
【０２６８】
ＰｒｏＳｅサーバはＵＥ１０からディスカバリー要求を受信する。ＰｒｏＳｅサーバは、ディスカバリー要求に含まれる、ＰｒｏＳｅアプリケーションＩＤとＵＥの識別子と、アナウンスをすることの要求を示すコマンドと、アプリケーションＩＤとＧＲＩＰアドレスを取得する。
【０２６９】
ＰｒｏＳｅサーバは、ＰｒｏＳｅサーバの記憶部に、ＵＥ１０の管理情報があるかを確認する。もし、ＰｒｏＳｅサーバの記憶部にＵＥ１０の管理情報がない場合は、ＰｒｏＳｅサーバは、ＨＳＳ５０にＵＥ１０の認証情報を確認し、新しいＵＥ１０の管理情報を作成する（Ｓ８０６）。これにより、ＵＥ１０はＰｒｏＳｅサーバにディスカバリー認証されていることとなる。
【０２７０】
ＰｒｏＳｅサーバはＵＥ１０を認証したら、ＵＥ１０にディスカバリー応答を送信する。ＰｒｏＳｅサーバは、ディスカバリー応答に、ＰｒｏＳｅアプリケーションコードと、タイマーとを含めてもよい。これにより、ＰｒｏＳｅサーバは、タイマーのカウントが終了するまで、ＰｒｏＳｅアプリケーションコードで識別されるアプリケーションの有効状態を維持することをＵＥ１０に指示することができる。
【０２７１】
ＵＥ１０は、ＰｒｏＳｅサーバからディスカバリー応答を受信する。ＵＥ１０は、メッセージに含まれるＰｒｏＳｅのアプリケーションコードとタイマーを取得し、ＰｒｏＳｅアプリケーションコードが識別するアナウンスを、タイマーで管理される時間、有効としてもよい。
【０２７２】
ＵＥ１０はＰｒｏＳｅサーバからディスカバリー応答を受信する。ＵＥ１０は、ディスカバリー応答に含まれる、ＰｒｏＳｅアプリケーションコードと、タイマーを取得する。
【０２７３】
ＵＥ１０は、ディスカバリー応答の受信に基づき、アナウンスを開始する。なお、ＵＥ１０は、ＰＤＮコネクティビティアクセプトメッセージの受信に基づき、ディスカバリーのアナウンスを開始してもよい。ＵＥ１０が送信するアナウンス信号には、少なくともＧＲＩＰアドレスを取得したことを示す識別情報と、アプリケーションＩＤなどのアプリケーションの識別情報を含める。
【０２７４】
これにより、ＵＥ１０と、ＵＥ１０がアプリケーションＩＤで識別されたアプリケーションの通信にＧＲＩＰアドレスを用いて行うことができることを、アナウンス信号を受信した、ＵＥ１０とは異なる近隣のＵＥに検出させる。
【０２７５】
なお、ＧＲＩＰアドレスを取得したことを示す識別情報として、ＵＥ１０が取得したＧＲＩＰアドレスを用いてもよい。
【０２７６】
以上により、ＰｒｏＳｅのアナウンス機能において、ＧＲＩＰアドレスを用いることができる。
【０２７７】
［１．５．ＩＰアドレス変更手続き］
次に、ＵＥ１０から開始する、ＵＥ１０のＧＲＩＰアドレスの変更手続きについて説明する。
【０２７８】
ＵＥ１０は初期状態を以下に説明する。ＵＥ１０は、アプリケーションサーバ２０への認証手続きにより、ＧＲＩＰアドレスを用いた通信を提供するアプリケーションサーバ２０にアプリケーションの利用と、ＧＲＩＰアドレスの取得の認証を得ている。
【０２７９】
さらに、ＵＥ１０は、ＰＤＮコネクティビティ手続きにおいて、従来のＩＰアドレスの取得を要求し、従来のローカルＩＰアドレスを取得して、ＰＤＮ接続を確立させて、通信を実現している。このときに、ＵＥ１０がＧＲＩＰアドレスを用いた通信に切り替えたい場合、すでに取得している従来のローカルＩＰアドレスを、ＧＲＩＰアドレスとして利用するためのＩＰアドレス変更手続きについて説明する。
【０２８０】
この時、ＵＥ１０はいずれかの制御手続を用いて、ＭＭＥ４０に、ＩＰアドレスの変更を要求する制御メッセージを送信し、ＭＭＥ４０は受信したメッセージに基づき、ＵＥ１０のＩＰアドレス変更手続きを認証する。
【０２８１】
さらに、ＭＭＥ４０は、ＰＧＷ３０に、ＩＰアドレス変更手続きに認証許可を要求し、ＩＰアドレスの認証許可を受信したら、ＵＥ１０にＩＰアドレス変更要求に対する応答メッセージを送信する。
【０２８２】
ここで、ＩＰアドレスの変更を要求する制御手続きは特に限定しないが、以下では、ＵＥが主導して開始するサービス要求手続きを拡張した方法と、ＵＥが主導して要求するベアラ変更要求手続きを拡張した方法を説明する。
【０２８３】
［１．５．１．サービス要求を用いたＩＰアドレスの変更］
まず、ＵＥ開始のサービス要求を用いたＩＰアドレスの変更手続きについて図１３を用いて説明する。初期状態は、ＵＥ１０ａはアタッチ手続きを実行してＩＰアドレスを取得した状態であってよい。なお、具体的なアタッチ手続きはすでに説明した方法と同じであるため、詳細な説明は省略する。
また、初期状態は、アタッチ手続きの実行後に限らず、ＵＥ１０ａはＰＤＮコネクティビティ手続きを実行して従来ＩＰアドレスを取得した状態であってもよい。より具体的には、ＵＥ１０ａはＡＰＮと、ＰＤＮタイプと、を含めてコアネットワークにＰＤＮコネクティビィティ要求を送信し、メッセージの応答として、ＡＰＮと、ＰＤＮタイプと、従来ＩＰアドレスとを含めたＰＤＮコネクティビィティ要求に対する応答をえＮＢ４５受信してもよい。
【０２８４】
ＵＥ１０はｅＮＢ４５にサービス要求メッセージを送信する（Ｓ９０２）。メッセージには、ＵＥの識別情報と、アプリケーションの識別情報と、ＩＰアドレスをＧＲＩＰアドレスに変更することを要求する識別情報を含めてもよい。このように、ＵＥ１０ａは、サービス要求メッセージを送信することにより、既に取得しているＩＰアドレスを、ＧＲＩＰアドレスに変更する要求を実施しても良い。なお、アプリケーションサーバへの登録手続き等でアプリケーションサーバ２０に認証されていることに基づいて、ＵＥ１０ａは、こうした要求を実施しても良い。さらに、ＵＥ１０ａは、要求メッセージに、認証されていることを識別する情報をさらに含めて送信してもよい。
【０２８５】
また、ＵＥの識別情報は、ＵＥ１０を識別できる情報要素であればよく、例えばＩＭＳＩなどでもよい。またＳ−ＴＭＳＩ（SAE Temporary Mobile Subscriber Identity）など、ＵＥとＭＭＥを識別できる情報要素であってもよい。
【０２８６】
また、ＩＰアドレスをＧＲＩＰアドレスに変更することを要求する識別情報は、アプリケーションの識別情報や、アプリケーションの許可情報などを用いてもよい。また、フラグなどでもよい。
【０２８７】
ｅＮＢ４５は、ＵＥ１０からサービス要求メッセージを受信する。ｅＮＢ４５は、メッセージをＭＭＥ４０に転送する（Ｓ９０４）。
【０２８８】
ＭＭＥ４０はサービス要求メッセージをｅＮＢ４５から受信する。ＭＭＥ４０はメッセージの受信に基づいて、認証処理を実行する。具体的な認証処理としては、ＨＳＳ５０とＵＥ１０の認証情報を確認する（Ｓ９０６）。この時、認証情報の確認には、ＭＭＥ４０が受信したメッセージに含まれるＵＥ１０の識別情報を用いてもよい。また、ＭＭＥ４０のみでＵＥ１０の認証情報を確認してもよい。
【０２８９】
なお、認証情報は、ユーザ情報と、ユーザにＧＲＩＰアドレスの割り当てるかを示す許可情報を対応づけて管理する管理情報であってよい。
【０２９０】
このとき、ＵＥ１０の認証情報が確認できない場合や、ＵＥ１０にＧＲＩＰアドレスの割り当てが許可されていない場合には、処理を停止してもよい。または、ＭＭＥ４０とｅＮＢ４５を介して、ＵＥ１０に認証情報が確認できないことを通知してもよい。もしくは、ＧＲＩＰアドレスへの変更や割り当てを許可しないことを通知してもよい。
【０２９１】
さらに、ＭＭＥ４０は、メッセージに含まれるＩＰアドレスの変更要求を示す情報要素に基づいて、こうしたＧＲＩＰアドレスに変更することに対する認証処理を実行してもよい。
【０２９２】
ＵＥ１０の認証情報の確認が完了し、更にＧＲＩＰアドレスの変更を認証した場合、ＭＭＥ４０は、ｅＮＢ４５に、初期コンテキストの設定要求メッセージを送信する（Ｓ９０８）。  ｅＮＢ４５は、ＭＭＥ４０から初期コンテキスト設定要求メッセージを受信する。ｅＮＢ４５は、メッセージの受信に基づき、ＵＥ１０とｅＮＢ４５間で無線ベアラの確立または変更手続きをする（Ｓ９１０）。
【０２９３】
つぎに、ｅＮＢ４５はＭＭＥ４０に初期コンテキスト設定応答メッセージを送信する（Ｓ９１２）。
【０２９４】
ＭＭＥ４０は、ｅＮＢ４５から初期コンテキスト設定応答メッセージを受信する。ＭＭＥ４０はメッセージの受信に基づき、ＰＧＷにベアラ変更要求メッセージを送信する（Ｓ９１４）。なお、ＭＭＥ４０は、ＵＥ１０がＧＲＩＰアドレスの利用ができることを確認するなどの上述した認証処理の結果に基づいて、ＩＰアドレスをＧＲＩＰアドレスに変更することを示す識別情報を含めてベアラ変更要求メッセージを送信してもよい。
【０２９５】
なお、ＩＰアドレスをＧＲＩＰアドレスに変更することを示す識別情報は、アプリケーション識別情報や、ＵＥ１０のＩＰアドレスをＧＲＩＰアドレスであってもよい。
【０２９６】
ＰＧＷ３０はＭＭＥ４０から、ベアラ変更要求メッセージを受信する。メッセージには、ＵＥの識別情報、アプリケーション識別情報や、ＵＥ１０のＩＰアドレスをＧＲＩＰアドレスにしたことを示す識別情報を含めてもよい。ＰＧＷ３０は、メッセージに含まれる、ＵＥ１０のＩＰアドレス変更の通知に基づき、ＰＧＷ３０にＧＲＩＰアドレス管理表４４２に、ＵＥ１０のＩＰアドレスを記憶する。
【０２９７】
ＰＧＷ３０はベアラ変更要求メッセージの受信に基づき、ＭＭＥ４０にベアラ変更応答メッセージを送信する（Ｓ９１６）。メッセージには、ＧＲＩＰアドレスへ変更することを示す識別情報を含めてもよい。
【０２９８】
なお、ＰＧＷ３０は、ベアラ変更要求メッセージの受信に基づいて、ＵＥ１０ａから受信した、変更後のＩＰアドレスを送信元アドレスとするパケットは、異なる移動通信事業者網間のＰＧＷへ配送を行うことができるなどの経路設定を実行してもよい。
【０２９９】
ＭＭＥ４０は、ＰＧＷ３０からベアラ変更応答メッセージを受信する。ＭＭＥ４０は、メッセージの受信に基づき、ＵＥ１０に、サービス要求メッセージに含まれた、ＩＰアドレス変更要求の応答として、ＩＰアドレス変更応答メッセージを送信する（Ｓ９１８）。
【０３００】
ＭＭＥ４０は、メッセージに、ＴＦＴやＡＰＮなど、アプリケーションを識別する識別情報を含めてもよい。また、両方の識別情報を対応付けて含めてもよい。
【０３０１】
さらに、ＩＰアドレス変更応答メッセージには、ＩＰアドレスをＧＲＩＰアドレスへ変更したことを示す情報を含めてＵＥ１０ａにアドレス属性の変更を完了したことを通知してもよい。
【０３０２】
ＵＥ１０はＭＭＥ４０から、ＩＰアドレス変更応答メッセージを受信することにより、ＩＰアドレスの変更がＭＭＥ４０に認証され、ＰＧＷ３０の記憶部で記憶される管理表が変更されたことが通知され、ＵＥ１０が保持するＩＰアドレスをＧＲＩＰアドレスとして用いることができるようになる。
【０３０３】
これにより、ＵＥ１０は、アプリケーションの通信を実施する際、アプリケーション識別情報を基に対応するＧＲＩＰアドレスを選択し、選択したＧＲＩＰアドレスを用いてアプリケーション識別情報で識別されるアプリケーションデータの送受信を行うことができる。
【０３０４】
これにより、ＵＥ１０が従来のＩＰアドレスを用いてＰＧＷ３０に送信しても、ＰＧＷ３０はＵＥ１０のアドレスをＧＲＩＰアドレスとして扱うことができ、宛先に転送することができるようになる。
【０３０５】
［１．５．２．ＵＥからのベアラ変更要求手続きを用いたＩＰアドレス変更手続き］
さらに、ＩＰアドレス変更手続きの具体例として、ＵＥから開始されるベアラ変更手続きを用いる方法について説明する。初期状態は、ＵＥ１０が、ネットワークへアタッチし、アプリケーションサーバ２０に登録手続きが完了し、従来のＩＰアドレスを用いて通信を行っている状態であり、すでに説明した状態と同じであるため、詳細な説明は省略する。
【０３０６】
本具体例では、ＵＥ１０は拡張してベアラ変更手続きを実行することにより、従来ＩＰアドレスをＧＲＩＰアドレスへ変更する。なお、ＵＥ１０は、移動またはＱｏＳの変更などをトリガーとしてベアラ変更要求手続きを利用したＩＰアドレスの変更手続きを開始してもよいし、ＧＲＩＰアドレスを用いた通信を行うアプリケーションの起動等に連動して開始してもよい。または、従来のＵＥから開始するベアラの変更手続きを開始するためのトリガーを用いてもよい。
【０３０７】
以下、図１４を用いて、従来のＵＥから開始するベアラ変更手続きを利用したＩＰアドレス変更手続きを説明する。
【０３０８】
ＵＥ１０は、前記したトリガーに基づき、ＭＭＥ４０にベアラ変更要求メッセージを送信する（Ｓ１１０２）。メッセージには、ＵＥの識別情報と、アプリケーションの識別情報と、ＩＰアドレスをＧＲＩＰアドレスに変更することを要求する識別情報を含めてもよい。
【０３０９】
ＵＥの識別情報は、ＵＥ１０を識別できる情報要素であればよく、例えばＩＭＳＩなどでもよい。またＳ−ＴＭＳＩ（SAE Temporary Mobile Subscriber Identity）など、ＵＥとＭＭＥを識別できる情報要素であってもよい。
【０３１０】
また、ＩＰアドレスをＧＲＩＰアドレスに変更することを要求する識別情報は、アプリケーションの識別情報や、アプリケーションの許可情報などを用いてもよい。また、フラグなどでもよい。
【０３１１】
または、ＩＰアドレスをＧＲＩＰアドレスに変更することを要求する識別情報は、通信フローを識別する識別情報であってよい。なお、通信フローを識別する識別情報は、ＧＲＩＰアドレスを用いて通信を行うアプリケーションに対応づけられた識別情報であってよい。
【０３１２】
具体的な通信フローを識別する識別情報は、ＴＦＴであってもよい。ＵＥ１０は、ＧＲＩＰアドレスを用いて通信を行うアプリケーションのトラヒックを識別することができるＴＦＴを、通信フローを識別する識別情報として用いてもよいし、ＵＥ１０は、ＧＲＩＰアドレスを用いて通信を行うアプリケーションのトラヒックを識別することができるＴＦＴを識別するＴＦＴ  ＩＤを、通信フローを識別する識別情報として用いてもよい。
【０３１３】
さらに、ＵＥ１０は、ＴＦＴやＴＦＴ  ＩＤ等のフロー識別情報と、ＧＲＩＰアドレスを要求する識別情報の両方を用いて、ＩＰアドレスをＧＲＩＰアドレスに変更することを要求してもよい。
【０３１４】
メッセージには、さらに、ベアラＩＤや、ＱｏＳなど、従来のベアラ更新要求メッセージに含まれる情報要素を含めてもよい。
【０３１５】
ＭＭＥ４０は、ＵＥ１０から、ベアラ変更要求メッセージを受信する。メッセージに含まれる、ＩＰアドレスをＧＲＩＰアドレスに変更することを要求する識別情報に基づき、ＳＧＷ３５にベアラリソース指示メッセージを送信する（Ｓ１１０４）。
【０３１６】
メッセージには、ＵＥの識別情報と、アプリケーションの識別情報と、ＩＰアドレスをＧＲＩＰアドレスに変更することを要求する識別情報を含めてもよい。
【０３１７】
ＵＥの識別情報は、ＵＥ１０を識別できる情報要素であればよく、例えばＩＭＳＩなどでもよい。またＳ−ＴＭＳＩなど、ＵＥとＭＭＥを識別できる情報要素であってもよい。
【０３１８】
また、ＩＰアドレスをＧＲＩＰアドレスに変更することを要求する識別情報は、アプリケーションの識別情報や、アプリケーションの許可情報などを用いてもよい。また、フラグなどでもよい。
【０３１９】
または、ＩＰアドレスをＧＲＩＰアドレスに変更することを要求する識別情報は、通信フローを識別する識別情報であってよい。なお、通信フローを識別する識別情報は、ＧＲＩＰアドレスを用いて通信を行うアプリケーションに対応づけられた識別情報であってよい。
【０３２０】
具体的な通信フローを識別する識別情報は、ＴＦＴであってもよい。ＵＥ１０は、ＧＲＩＰアドレスを用いて通信を行うアプリケーションのトラヒックを識別することができるＴＦＴを、通信フローを識別する識別情報として用いてもよいし、ＵＥ１０は、ＧＲＩＰアドレスを用いて通信を行うアプリケーションのトラヒックを識別することができるＴＦＴを識別するＴＦＴ  ＩＤを、通信フローを識別する識別情報として用いてもよい。
【０３２１】
さらに、ＵＥ１０は、ＴＦＴやＴＦＴ  ＩＤ等のフロー識別情報と、ＧＲＩＰアドレスを要求する識別情報の両方を用いて、ＩＰアドレスをＧＲＩＰアドレスに変更することを要求してもよい。
【０３２２】
メッセージには、さらに、ベアラＩＤ、ＱｏＳなど、従来のベアラリソース指示メッセージに含まれる情報要素を含めてもよい。
【０３２３】
ＳＧＷ３５は、ＭＭＥ４０からベアラリソースメッセージを受信し、受信したベアラＩＤに基づき、ＰＧＷ３０を選択する。ＳＧＷ３５は選択したＰＧＷ３０に、ベアラリソース指示メッセージを送信する（Ｓ１１０６）。
【０３２４】
メッセージには、ＵＥの識別情報と、アプリケーションの識別情報と、ＩＰアドレスをＧＲＩＰアドレスに変更することを要求する識別情報を含めてもよい。
【０３２５】
ＵＥの識別情報は、ＵＥ１０を識別できる情報要素であればよく、例えばＩＭＳＩなどでもよい。またＳ−ＴＭＳＩなど、ＵＥとＭＭＥを識別できる情報要素であってもよい。
【０３２６】
また、ＩＰアドレスをＧＲＩＰアドレスに変更することを要求する識別情報は、アプリケーションの識別情報や、アプリケーションの許可情報などを用いてもよい。また、フラグなどでもよい。
【０３２７】
または、ＩＰアドレスをＧＲＩＰアドレスに変更することを要求する識別情報は、通信フローを識別する識別情報であってよい。なお、通信フローを識別する識別情報は、ＧＲＩＰアドレスを用いて通信を行うアプリケーションに対応づけられた識別情報であってよい。
【０３２８】
具体的な通信フローを識別する識別情報は、ＴＦＴであってもよい。ＵＥ１０は、ＧＲＩＰアドレスを用いて通信を行うアプリケーションのトラヒックを識別することができるＴＦＴを、通信フローを識別する識別情報として用いてもよいし、ＵＥ１０は、ＧＲＩＰアドレスを用いて通信を行うアプリケーションのトラヒックを識別することができるＴＦＴを識別するＴＦＴ  ＩＤを、通信フローを識別する識別情報として用いてもよい。
【０３２９】
さらに、ＵＥ１０は、ＴＦＴやＴＦＴ  ＩＤ等のフロー識別情報と、ＧＲＩＰアドレスを要求する識別情報の両方を用いて、ＩＰアドレスをＧＲＩＰアドレスに変更することを要求してもよい。
【０３３０】
メッセージには、さらに、ベアラＩＤ、ＱｏＳなど、従来のベアラリソース指示メッセージに含まれる情報要素を含めてもよい。
【０３３１】
ＰＧＷ３０は、ＳＧＷ３５からベアラリソース指示メッセージを受信する。メッセージにＩＰアドレスを変更することを要求する識別情報が含まれている場合、ＰＧＷ３０は、記憶部４４０で記憶されるＧＲＩＰアドレス管理表４４２に、ＵＥ１０が用いている従来のＩＰアドレスを記憶し、ＧＲＩＰアドレスに変更する。
【０３３２】
または、ＩＰアドレスを変更することを要求する識別情報は含まれず、アプリケーションの識別情報が含まれることで、ＵＥ１０のＩＰアドレスをＧＲＩＰアドレスに変更してもよい。または、アプリケーションの許可情報が含まれていることで、ＵＥ１０のＩＰアドレスをＧＲＩＰアドレスに変更してもよい。
【０３３３】
なお、具体的な変更処理では、ＰＧＷ３０は、変更後のＩＰアドレスを送信元アドレスとするパケットは、異なる移動通信事業者網間の配送を行うことができるなどの経路設定を実行してもよい。
【０３３４】
ＰＧＷ３０で、ＩＰアドレスの変更が完了したら、ベアラを有効にしたり、無効にしたり、ベアラを変更したり、などの処理を開始してもよい。
【０３３５】
ＰＧＷ３０は、ＩＰアドレスの変更をすると、ＳＧＷ３５にベアラ確立（更新）メッセージを送信する（Ｓ１１０８）。
【０３３６】
メッセージには、ＵＥの識別情報と、アプリケーションの識別情報と、ＩＰアドレスをＧＲＩＰアドレスに変更したことを示す識別情報を含めてもよい。
【０３３７】
ＵＥの識別情報は、ＵＥ１０を識別できる情報要素であればよく、例えばＩＭＳＩなどでもよい。またＳ−ＴＭＳＩなど、ＵＥとＭＭＥを識別できる情報要素であってもよい。
【０３３８】
また、ＩＰアドレスをＧＲＩＰアドレスに変更したことを示す識別情報は、アプリケーションの識別情報やなどを用いてもよい。
【０３３９】
メッセージには、さらに、ＱｏＳなど、従来のベアラ確立（更新）メッセージに含まれる情報要素を含めてもよい。
【０３４０】
ＳＧＷ３５は、ＰＧＷ３０から、ベアラ確立（更新）メッセージを受信する。ＳＧＷ３５はメッセージに、ＩＰアドレスをＧＲＩＰアドレスに変更したことを示す識別情報が含まれている場合、ＭＭＥ４０にベアラ確立（更新）メッセージを送信する（Ｓ１１１０）。
【０３４１】
メッセージには、ＵＥの識別情報と、アプリケーションの識別情報と、ＩＰアドレスをＧＲＩＰアドレスに変更したことを示す識別情報を含めてもよい。
【０３４２】
ＵＥの識別情報は、ＵＥ１０を識別できる情報要素であればよく、例えばＩＭＳＩなどでもよい。またＳ−ＴＭＳＩなど、ＵＥとＭＭＥを識別できる情報要素であってもよい。
【０３４３】
また、ＩＰアドレスをＧＲＩＰアドレスに変更したことを示す識別情報は、アプリケーションの識別情報やなどを用いてもよい。
【０３４４】
メッセージには、さらに、ＱｏＳなど、従来のベアラ確立（更新）メッセージに含まれる情報要素を含めてもよい。
【０３４５】
ＭＭＥ４０は、ＳＧＷ３５から、ベアラ更新（確立）要求メッセージを受信する。受信メッセージに、ＩＰアドレスをＧＲＩＰアドレスに変更したことを示す識別情報が含まれている場合、ＭＭＥ４０はＵＥ１０から受信したベアラ変更要求の応答として、ＵＥ１０にＩＰアドレス変更通知を送信する（Ｓ１１１２）。
【０３４６】
ＭＭＥ４０は、メッセージに、アプリケーションを識別するＴＦＴまたはＡＰＮを含めてもよい。また、その両方の識別情報を含めてもよい。
【０３４７】
さらに、ＭＭＥ４０は、メッセージにＩＰアドレスをＧＲＩＰアドレスに変更したこと示す識別情報を含めてもよい。
【０３４８】
ＵＥ１０はＭＭＥ４０から、ＩＰアドレス変更通知を受信する。受信メッセージに、ＩＰアドレスをＧＲＩＰアドレスに変更したことを示す識別情報が含まれている場合、ＵＥ１０は、保持するＩＰアドレスをＧＲＩＰアドレスとして利用することができる。
【０３４９】
これにより、ＵＥ１０は、アプリケーションの通信を実施する際、アプリケーション識別情報を基に対応するＧＲＩＰアドレスを選択し、選択したＧＲＩＰアドレスを用いてアプリケーション識別情報で識別されるアプリケーションデータの送受信を行うことができる。
【０３５０】
以上で、ＵＥ１０が従来のＩＰアドレスを用いてＰＧＷ３０にデータを送信しても、ＰＧＷ３０はＵＥ１０のアドレスをＧＲＩＰアドレスとして扱うことができ、宛先に転送することができるようになる。
【０３５１】
以上、この発明の実施形態および変形例について図面を参照して詳述してきたが、具体的な構成はこの実施形態に限られるものではなく、この発明の要旨を逸脱しない範囲の設計等も特許請求の範囲に含まれる。
【０３５２】
また、各実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【０３５３】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０３５４】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０３５５】
また、上述した実施形態における各装置の一部又は全部を典型的には集積回路であるＬＳＩ（Large Scale Integration）として実現してもよい。各装置の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能であることは勿論である。
【０３５６】
また、上述した実施形態においては、無線アクセスネットワークの例としてＬＴＥと、ＷＬＡＮ（例えば、ＩＥＥＥ８０２．１１ａ／ｂ／ｎ等）とについて説明したが、ＷＬＡＮの代わりにＷｉＭＡＸによって接続されても良い。
【符号の説明】
【０３５７】
１  通信システム
５  ＩＰ移動通信ネットワーク
７  コアネットワーク
９  ＰＤＮ
１０  ＵＥ
２０  アプリケーションサーバ
３０  ＰＧＷ
３５  ＳＧＷ
４０  ＭＭＥ
４５  ｅＮＢ
５０  ＨＳＳ
５５  ＡＡＡ
６０  ＰＣＲＦ
６５  ｅＰＤＧ
７０  ＷＬＡＮ＿ＡＮａ
７２  ＷＬＡＮ  ＡＰａ
７４  ＧＷ
７５  ＷＬＡＮ＿ＡＮｂ
７６  ＷＬＡＮ＿ＡＰｂ
８０  ＬＴＥ＿ＡＮ
【図１】
2017152754.tif 000003
【図２】
2017152754.tif 000004
【図３】
2017152754.tif 000005
【図４】
2017152754.tif 000006
【図５】
2017152754.tif 000007
【図６】
2017152754.tif 000008
【図７】
2017152754.tif 000009
【図８】
2017152754.tif 000010
【図９】
2017152754.tif 000011
【図１０】
2017152754.tif 000012
【図１１】
2017152754.tif 000013
【図１２】
2017152754.tif 000014
【図１３】
2017152754.tif 000015
【図１４】
2017152754.tif 000016